(57)【要約】【課題】  装置内の情報処理コントローラは一部のサブプロセッサを同じ情報処理装置内の他の情報処理ユニットに補助プロセッサとして利用させる。【解決手段】  情報処理ユニットはサブプロセッサのローカルストレージを自己のアドレス空間にマッピングするとともに、サブプロセッサに実行を依頼するサブプロセッサプログラムを配置する。メインプロセッサは、情報処理ユニットからのサブプロセッサプログラム実行開始要求、実行停止要求、並びに割り込み要求に応答して、サブプロセッサのサブプロセッサプログラム実行を開始、停止、割り込みを行なう。【選択図】  図１６
2005339401.tif 000002
【特許請求の範囲】
【請求項１】
ネットワーク接続された複数の情報処理装置が協調動作により分散処理を行なう情報処理システムに含まれる情報処理装置であって、
自己のローカルストレージ上に展開されたプログラムを実行可能な１以上のサブプロセッサと、前記サブプロセッサにプログラムの実行を命令するメインプロセッサを備えた情報処理コントローラと、
前記情報処理コントローラにおける一部のサブプロセッサを利用する当該情報処理装置内の情報処理ユニットと、
利用するサブプロセッサのローカルストレージを前記情報処理ユニットのアドレス空間にマッピングするアドレスマッピング手段と、
前記情報処理ユニットが利用するサブプロセッサのローカルストレージ上に前記情報処理ユニットが該サブプロセッサに実行を依頼するサブプロセッサプログラムを配置するサブプロセッサプログラム配置手段と、
を具備することを特徴とする情報処理装置。
【請求項２】
各サブプロセッサが持つ余剰の処理能力を基に、前記情報処理ユニットが利用するサブプロセッサを決定する、
ことを特徴とする請求項１に記載の情報処理装置。
【請求項３】
前記メインプロセッサは、前記情報処理ユニットからのサブプロセッサプログラム実行開始要求、実行停止要求、又は割り込み要求に応答して、サブプロセッサのサブプロセッサプログラム実行を開始、停止、又は割り込みを行なう、
ことを特徴とする請求項１に記載の情報処理装置。
【請求項４】
自己のローカルストレージ上に展開されたプログラムを実行可能な１以上のサブプロセッサと、前記サブプロセッサにプログラムの実行を命令するメインプロセッサを備えた情報処理コントローラであって、
各サブプロセッサを管理する資源管理手段と、
前記サブプロセッサの一部を利用する情報処理ユニットを接続する接続手段と、
前記情報処理ユニットが利用するサブプロセッサを決定する利用サブプロセッサ決定手段と、
前記情報処理ユニットが利用するサブプロセッサのローカルストレージ上に前記情報処理ユニットが該サブプロセッサに実行を依頼するサブプロセッサプログラムを配置するサブプロセッサプログラム配置手段と、
を具備することを特徴とする情報処理コントローラ。
【請求項５】
前記資源管理手段は、各サブプロセッサの余剰の処理能力を管理し、
前記利用サブプロセッサ決定手段は、各サブプロセッサが持つ余剰の処理能力を基に、前記情報処理ユニットが利用するサブプロセッサを決定する、
ことを特徴とする請求項４に記載の情報処理コントローラ。
【請求項６】
前記メインプロセッサは、前記接続手段経由での前記情報処理ユニットからのサブプロセッサプログラム実行開始要求、実行停止要求、又は割り込み要求に応答して、サブプロセッサのサブプロセッサプログラム実行を開始、停止、割り込みを行なう、
ことを特徴とする請求項４に記載の情報処理コントローラ。
【請求項７】
自己のローカルストレージ上に展開されたサブプロセッサプログラムを実行可能な１以上のサブプロセッサと、前記サブプロセッサにサブプロセッサプログラムの実行を命令するメインプロセッサを備えた情報処理コントローラの資源を利用する情報処理ユニットであって、
前記情報処理コントローラを接続する接続手段と、
利用するサブプロセッサのローカルストレージを自己のアドレス空間にマッピングするアドレスマッピング手段と、
利用するサブプロセッサのローカルストレージ上に該サブプロセッサに実行を依頼するサブプロセッサプログラムを配置するサブプロセッサプログラム配置手段と、
前記メインプロセッサに対し、利用するサブプロセッサによるサブプロセッサプログラム実行の開始、停止、又は割り込みを要求するサブプロセッサプログラム実行要求手段と、
を具備することを特徴とする情報処理ユニット。
【請求項８】
利用するサブプロセッサからの割り込みを、前記接続手段経由で受理する手段をさらに備える、
ことを特徴とする請求項７に記載の情報処理ユニット。
【請求項９】
自己のローカルストレージ上に展開されたサブプロセッサプログラムを実行可能な１以上のサブプロセッサと、前記サブプロセッサにサブプロセッサプログラムの実行を命令するメインプロセッサを備えた情報処理装置コントローラの一部のサブプロセッサを情報処理ユニットが利用するように処理するための当該情報処理コントローラ及び当該情報処理ユニットを含む情報処理装置の制御方法であって、
各サブプロセッサを管理する資源管理ステップと、
前記情報処理ユニットが利用するサブプロセッサを決定する利用サブプロセッサ決定ステップと、
前記情報処理ユニットが利用するサブプロセッサのローカルストレージ上に前記情報処理ユニットが該サブプロセッサに実行を依頼するサブプロセッサプログラムを配置するサブプロセッサプログラム配置ステップと、
を具備することを特徴とする情報処理装置の制御方法。
【請求項１０】
前記資源管理ステップでは、各サブプロセッサの余剰の処理能力を管理し、
前記利用サブプロセッサ決定ステップでは、各サブプロセッサが持つ余剰の処理能力を基に、前記情報処理ユニットが利用するサブプロセッサを決定する、
ことを特徴とする請求項９に記載の情報処理装置の制御方法。
【請求項１１】
前記メインプロセッサが、前記情報処理ユニットからのサブプロセッサプログラム実行開始要求、実行停止要求、又は割り込み要求に応答して、サブプロセッサのサブプロセッサプログラム実行を開始、停止、又は割り込みするステップをさらに備える、
ことを特徴とする請求項９に記載の情報処理装置の制御方法。
【請求項１２】
前記情報処理ユニットからサブプロセッサのローカルストレージへの仮想アドレスを用いたアクセス要求を該サブプロセッサのローカルストレージの物理アドレスへ変換するアドレス変換ステップをさらに備える、
ことを特徴とする請求項９に記載の情報処理装置の制御方法。
【請求項１３】
各サブプロセッサのローカルストレージへの不正アクセスを禁止する保護ステップをさらに備える、
ことを特徴とする請求項９に記載の情報処理装置の制御方法。
【請求項１４】
前記保護ステップでは、前記情報処理ユニットによる利用が許可されていないサブプロセッサのローカルストレージへの前記情報処理ユニットからのアクセスを禁止する、
ことを特徴とする請求項１３に記載の情報処理装置の制御方法。
【請求項１５】
前記保護ステップでは、前記情報処理ユニットが利用するサブプロセッサのローカルストレージへの当該情報処理コントローラ内部によるアクセスを禁止する、
ことを特徴とする請求項１３に記載の情報処理装置の制御方法。
【請求項１６】
自己のローカルストレージ上に展開されたサブプロセッサプログラムを実行可能な１以上のサブプロセッサと前記サブプロセッサにサブプロセッサプログラムの実行を命令するメインプロセッサを備えた情報処理コントローラの資源を利用するための情報処理ユニットの制御方法であって、
利用するサブプロセッサのローカルストレージを自己のアドレス空間にマッピングするアドレスマッピングステップと、
利用するサブプロセッサのローカルストレージ上に該サブプロセッサに実行を依頼するサブプロセッサプログラムを配置するサブプロセッサプログラム配置ステップと、
前記メインプロセッサに対し、利用するサブプロセッサによるサブプロセッサプログラム実行の開始、停止、又は割り込みを要求するサブプロセッサプログラム実行要求ステップと、
を具備することを特徴とする情報処理ユニットの制御方法。
【請求項１７】
利用するサブプロセッサからの割り込みを、前記接続手段経由で受理するステップをさらに備える、
ことを特徴とする請求項１６に記載の情報処理ユニットの制御方法。
【請求項１８】
自己のローカルストレージ上に展開されたサブプロセッサプログラムを実行可能な１以上のサブプロセッサと前記サブプロセッサにサブプロセッサプログラムの実行を命令するメインプロセッサを備えた情報処理コントローラの一部のサブプロセッサを情報処理ユニットが利用するための処理を情報処理コントローラ上で実行するようにコンピュータ可読形式で記述されたコンピュータプログラムであって、
各サブプロセッサを管理する資源管理ステップと、
前記情報処理ユニットが利用するサブプロセッサを決定する利用サブプロセッサ決定ステップと、
前記情報処理ユニットが利用するサブプロセッサのローカルストレージ上に前記情報処理ユニットが該サブプロセッサに実行を依頼する処理サブプロセッサプログラムを配置するサブプロセッサプログラム配置ステップと、
前記情報処理ユニットからのサブプロセッサプログラム実行開始要求、実行停止要求、又は割り込み要求に応答して、サブプロセッサのサブプロセッサプログラム実行を開始、停止、又は割り込みするステップと、
を具備することを特徴とするコンピュータプログラム。
【請求項１９】
自己のローカルストレージ上に展開されたサブプロセッサプログラムを実行可能な１以上のサブプロセッサと前記サブプロセッサにサブプロセッサプログラムの実行を命令するメインプロセッサを備えた情報処理コントローラの資源を利用するための処理を情報処理ユニット上で実行するようにコンピュータ可読形式で記述されたコンピュータプログラムであって、
利用するサブプロセッサのローカルストレージを自己のアドレス空間にマッピングするアドレスマッピングステップと、
利用するサブプロセッサのローカルストレージ上に該サブプロセッサに実行を依頼するサブプロセッサプログラムを配置するサブプロセッサプログラム配置ステップと、
前記メインプロセッサに対し、利用するサブプロセッサによるサブプロセッサプログラム実行の開始、停止、又は割り込みを要求するサブプロセッサプログラム実行要求ステップと、
を具備することを特徴とするコンピュータプログラム。
【発明の詳細な説明】
【技術分野】
【０００１】
本発明は、接続された２以上の機器間における動作を連携させる情報処理装置及びその制御方法、情報処理コントローラ、情報処理ユニット及びその制御方法、並びにコンピュータプログラムに係り、特に、接続された２以上の機器間における動作を連携させる情報処理装置及びその制御方法、情報処理コントローラ、情報処理ユニット及びその制御方法、並びにコンピュータプログラムに関する。
【０００２】
さらに詳しくは、本発明は、接続された複数の機器が協調動作により分散処理を行なうことで、仮想的に１台の機器として動作する情報処理装置及びその制御方法、情報処理コントローラ、情報処理ユニット及びその制御方法、並びにコンピュータプログラムに係り、特に、１以上のサブプロセッサと各サブプロセッサにサブプロセッサプログラムの実行を命令するメインプロセッサからなるマルチプロセッサ構成の情報処理コントローラを具備する情報処理装置が、同じ情報処理装置内の他ユニット又は外部の機器と連携動作する情報処理装置及びその制御方法、情報処理コントローラ、情報処理ユニット及びその制御方法、並びにコンピュータプログラムに関する。
【背景技術】
【０００３】
複数のコンピュータ同士をネットワークで相互接続することにより、情報資源の共有、ハードウェア資源の共有、複数のユーザ間でのコラボレーションが実現することが知られている。コンピュータ間の接続メディアとして、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどさまざまである。
【０００４】
特に最近では、一般家庭内にもコンピュータやネットワークなどの技術が深く浸透してきている。家庭内のパーソナル・コンピュータやＰＤＡ（Ｐｅｒｓｏｎａｌ  Ｄｉｇｉｔａｌ  Ａｓｓｉｓｔａｎｔｓ）などの情報機器、さらにはテレビ受像機やビデオ再生装置などＡＶ機器や、各種の情報家電、ＣＥ（Ｃｏｎｓｕｍｅｒ  Ｅｌｅｃｔｒｏｎｉｃｓ）機器などがホームネットワーク経由で相互接続されている。また、このようなホームネットワークは、多くの場合、ルータ経由でインターネットを始めとする外部の広域ネットワークに相互接続されている。
【０００５】
ところが、ホームネットワーク上に複数のＡＶ機器が接続されるという利用形態が想定されるが、いままでは、ＡＶ機器間で充分な連携がなされていない、という問題がある。
【０００６】
このような問題に対し、最近では、ネットワーク上の機器同士を連携させるために、機器の協調動作により高い演算性能を実現するというグリッドコンピューティング技術に関する研究開発が進められている（例えば、特許文献１〜５を参照のこと）。
【０００７】
このグリッドコンピューティング技術によれば、ネットワーク上の複数の情報処理装置が強調動作して分散処理を行ない、ユーザからは仮想的に１台の情報処理装置として動作することができる。
【０００８】
例えば、録画予約機能を持つ複数台の情報処理装置がネットワーク上に接続されている場合、録画予約の連携動作を実現することができる。すなわち、複数台の情報処理装置がホームネットワーク経由で録画予約の動作を連携させている場合、ホームネットワーク上では仮想的に１台の録画機器として動作する。そして、ユーザは、いずれかの機器のユーザ・インターフェースを用いて、ホームネットワークに接続されている任意の機器を用いて録画予約を行なうことができる。
【０００９】
さらにこのような録画予約機能の連携により、予約時間が重複した番組（いわゆる裏番組）を同時録画することが可能である。同様に、記録したコンテンツの再生動作を複数の機器間で連携させ、同時・同期的なコンテンツ再生を実現することができる。このコンテンツ再生機能の連携により、別々の機器で記録されたコンテンツの再生を同時、同期的に進行させることにより、コンテンツ再生においてチャンネル切り換えの概念を導入することができる。
【００１０】
このような仮想的な１台の機器によれば、１台の機器のハードウェア資源や処理能力だけではユーザからの要求に応じることができない場合であっても、ネットワーク上で連携・協調動作する他の機器における余剰の処理能力を活用することで、ユーザの要求に応じることができ、さらに通常の１台の機器では現実的ではないサービスを実現することができる。
【００１１】
【特許文献１】特開２００２−３４２１６５号公報
【特許文献２】特開２００２−３５１８５０号公報
【特許文献３】特開２００２−３５８２８９号公報
【特許文献４】特開２００２−３６６５３３号公報
【特許文献５】特開２００２−３６６５３４号公報
【発明の開示】
【発明が解決しようとする課題】
【００１２】
グリッドコンピューティングを実現する個々の情報処理装置は、情報処理コントローラを備える。情報処理コントローラには、自己のローカル・メモリ上に展開されたサブプロセッサプログラムを実行可能な１以上のサブプロセッサと、サブプロセッサにサブプロセッサプログラムの実行を命令するメインプロセッサが装備されている。
【００１３】
このような情報処理コントローラにおいては、メインプロセッサは各サブプロセッサが持つ余剰処理能力などの資源管理を行ない、複数の機能を同時並行して実行することができる。例えば、テレビ番組の録画予約や、録画コンテンツの再生や、シーン認識、再エンコード・画質改善などの録画コンテンツに関する付加的な処理を、サブプロセッサを用いて分散処理することができる。
【００１４】
ここで、情報処理コントローラ内で１以上の処理を行なう場合、必ずしもすべてのサブプロセッサを用いて分散処理する必要はなく、一部のサブプロセッサを他の目的で使用することができる。
【００１５】
個々のサブプロセッサは、それぞれ関連付けられたローカルストレージを持ち、ローカルストレージ上に展開されたサブプロセッサプログラムを実行することができる。例えば、上述したような複数の機器が協調動作により分散処理を行なうことで、仮想的に１台の機器として動作するグリッドコンピューティングシステムにおいては、マルチプロセッサ構成の情報処理コントローラが複数のサブプロセッサの一部を、外部の情報処理装置に補助プロセッサとして利用させることにより、上記の分散処理技術が好適に実現される。また、外部の情報処理装置の性能を低く抑えることが可能となり、システム全体として低コストで高い処理性能を実現する可能性がある。
【００１６】
しかしながら、従来の手法では、サブプロセッサプログラムの実行を依頼してから実行が開始されるまでには、複雑な手続きと時間を要し、外部の情報処理装置が簡便に低遅延でサブプロセッサプログラムを実行させることができず、高い処理性能を実現することができない。
【００１７】
また、従来は、他の情報処理装置内の情報処理コントローラに機能プログラムを実行させるためには、高い処理能力と通信装置が必要とされ、このような機能を装備しない情報処理装置は他の情報処理装置内の情報処理コントローラのサブプロセッサを利用することができない。すなわち、他の情報処理装置が持つ情報処理コントローラのサブプロセッサを利用できない情報処理装置は、自らの情報処理コントローラ内にサブプロセッサを装備する必要があり、低コストの機器を実現することができない。
【００１８】
本発明は、上述したような技術的課題を鑑みたものであり、その主な目的は、接続された２以上の機器間における動作を好適に連携させることができる、優れた情報処理装置及びその制御方法、情報処理コントローラ、情報処理ユニット及びその制御方法、並びにコンピュータプログラムを提供することにある。
【００１９】
本発明のさらなる目的は、接続された複数の機器が協調動作により分散処理を行なうことで、仮想的に１台の機器として好適に動作することができる、優れた情報処理装置及びその制御方法、情報処理コントローラ、情報処理ユニット及びその制御方法、並びにコンピュータプログラムを提供することにある。
【００２０】
本発明のさらなる目的は、１以上のサブプロセッサと各サブプロセッサにプログラムの実行を命令するメインプロセッサからなるマルチプロセッサ構成の情報処理コントローラを備える情報処理装置が外部の機器と好適に連携動作することができる、優れた情報処理装置及びその制御方法、情報処理コントローラ、情報処理ユニット及びその制御方法、並びにコンピュータプログラムを提供することにある。
【００２１】
本発明のさらなる目的は、仮想的に１台の機器として動作するグリッドコンピューティングシステムにおいて、マルチプロセッサ構成の情報処理コントローラが一部のサブプロセッサを同じ情報処理装置内の他ユニットに利用させることができる、優れた情報処理装置及びその制御方法、情報処理コントローラ、情報処理ユニット及びその制御方法、並びにコンピュータプログラムを提供することにある。
【課題を解決するための手段】
【００２２】
本発明は、上記課題を参酌してなされたものであり、その第１の側面は、ネットワーク接続された複数の情報処理装置が協調動作により分散処理を行なう情報処理システムに含まれる情報処理装置であって、
自己のローカルストレージ上に展開されたプログラムを実行可能な１以上のサブプロセッサと、前記サブプロセッサにプログラムの実行を命令するメインプロセッサを備えた情報処理コントローラと、
前記情報処理コントローラにおける一部のサブプロセッサを利用する当該情報処理装置内の情報処理ユニットと、
利用するサブプロセッサのローカルストレージを前記情報処理ユニットのアドレス空間にマッピングするアドレスマッピング手段と、
前記情報処理ユニットが利用するサブプロセッサのローカルストレージ上に前記情報処理ユニットが該サブプロセッサに実行を依頼するサブプロセッサプログラムを配置するサブプロセッサプログラム配置手段と、
を具備することを特徴とする情報処理装置である。
【００２３】
本発明は、ネットワーク接続された複数の機器が協調動作により分散処理を行なうことで、仮想的に１台の機器として好適に動作する、グリッドコンピューティングを実現する情報処理システムに関する。この種のシステムを構成する少なくとも一部の情報処理装置は、マルチプロセッサ構成の情報処理コントローラを採用し、当該情報処理コントローラは自己のローカル・メモリ上に展開されたサブプロセッサプログラムを実行可能な１以上のサブプロセッサと、サブプロセッサにサブプロセッサプログラムの実行を命令するメインプロセッサが装備されている。
【００２４】
このような情報処理コントローラにおいては、メインプロセッサは各サブプロセッサが持つ余剰処理能力などの資源管理を行ない、複数の機能を同時並行して実行することができる。ここで、必ずしもすべてのサブプロセッサを用いる必要はなく、一部のサブプロセッサを他の目的で使用することができ、例えば同じ情報処理装置内の他ユニットに余剰のサブプロセッサの利用を許可することができる。
【００２５】
本発明によれば、情報処理コントローラは、簡単な手続きと短い時間で、情報処理コントローラ内の一部のサブプロセッサの利用の許可を受けることができる。
【００２６】
すなわち、同じ情報処理装置内の他ユニットは、情報処理コントローラ内の利用するサブプロセッサのローカルストレージを自己のアドレス空間にマッピングするとともに、サブプロセッサに実行を依頼するサブプロセッサプログラムを配置する。そして、情報処理コントローラ内のメインプロセッサに対し、サブプロセッサプログラム実行の開始、停止、割り込みの要求を行なうようにすればよい。情報処理コントローラ内のメインプロセッサは、前記他ユニットからのサブプロセッサプログラム実行開始要求、実行停止要求、並びに割り込み要求に応答して、サブプロセッサのサブプロセッサプログラム実行を開始又は停止、あるいは割り込みを行なうようにする。また、前記メインプロセッサは、前記サブプロセッサからの割り込みを前記他ユニットに通知するようにする。
【００２７】
したがって、本発明によれば、同じ情報処理装置内の他ユニットは、情報処理装置コントローラに対し、簡便に低遅延でサブプロセッサプログラムを実行させることができ、高い処理性能を実現することができる。この結果、前記他ユニットは、自らサブプロセッサを装備することなく、同等の性能を得ることができるので、低コストの機器を実現することができる。
【００２８】
ここで、各サブプロセッサが持つ余剰の処理能力を基に、前記他ユニットが利用するサブプロセッサを決定することができる。
【００２９】
前記他ユニットにおいて、サブプロセッサのストレージをマッピングしたアドレスへのアクセス要求が行なわれた場合には、前記情報処理コントローラにおいて該サブプロセッサのローカルストレージのアドレスへアドレス変換され、アクセスが実現する。
【００３０】
また、前記情報処理コントローラの各サブプロセッサのローカルストレージへの不正アクセスを禁止する保護手段を介していてもよい。
【００３１】
この保護手段は、前記他ユニットが利用していないサブプロセッサのローカルストレージへの前記他ユニットによるアクセス要求は、これを不正アクセスとして禁止する。
【００３２】
また、保護手段は、前記情報処理コントローラのメインプロセッサや他のサブプロセッサからの、前記他ユニットが利用するサブプロセッサのローカルストレージへのアクセス要求があったときには、これを不正アクセスとして禁止するようにする。
【００３３】
また、本発明の第２の側面は、自己のローカルストレージ上に展開されたサブプロセッサプログラムを実行可能な１以上のサブプロセッサと前記サブプロセッサにサブプロセッサプログラムの実行を命令するメインプロセッサを備えた情報処理コントローラの一部のサブプロセッサを情報処理ユニットが利用するための処理を情報処理コントローラ上で実行するようにコンピュータ可読形式で記述されたコンピュータプログラムであって、
各サブプロセッサを管理する資源管理ステップと、
前記情報処理ユニットが利用するサブプロセッサを決定する利用サブプロセッサ決定ステップと、
前記情報処理ユニットが利用するサブプロセッサのローカルストレージ上に前記情報処理ユニットが該サブプロセッサに実行を依頼する処理サブプロセッサプログラムを配置するサブプロセッサプログラム配置ステップと、
前記情報処理ユニットからのサブプロセッサプログラム実行開始要求、実行停止要求、又は割り込み要求に応答して、サブプロセッサのサブプロセッサプログラム実行を開始、停止、又は割り込みするステップと、
を具備することを特徴とするコンピュータプログラムである。
【００３４】
また、本発明の第３の側面は、自己のローカルストレージ上に展開されたサブプロセッサプログラムを実行可能な１以上のサブプロセッサと前記サブプロセッサにサブプロセッサプログラムの実行を命令するメインプロセッサを備えた情報処理コントローラの資源を利用するための処理を情報処理ユニット上で実行するようにコンピュータ可読形式で記述されたコンピュータプログラムであって、
利用するサブプロセッサのローカルストレージを自己のアドレス空間にマッピングするアドレスマッピングステップと、
利用するサブプロセッサのローカルストレージ上に該サブプロセッサに実行を依頼するサブプロセッサプログラムを配置するサブプロセッサプログラム配置ステップと、
前記メインプロセッサに対し、利用するサブプロセッサによるサブプロセッサプログラム実行の開始、停止、又は割り込みを要求するサブプロセッサプログラム実行要求ステップと、
を具備することを特徴とするコンピュータプログラムである。
【００３５】
本発明の第２及び第３の各側面に係るコンピュータプログラムは、情報処理コントローラ又は他ユニット上で所定の処理を実現するようにコンピュータ可読形式で記述されたコンピュータプログラムを定義したものである。換言すれば、本発明の第２及び第３の各側面に係るコンピュータプログラムを情報処理コントローラ又は他ユニットにインストールすることによって、情報処理コントローラ及び他ユニット上では協働的作用が発揮され、動作することにより、情報処理コントローラが持つ一部のサブプロセッサを他ユニットが利用するという連携動作が実現され、本発明の第１の側面に係る情報処理装置と同様の作用効果を得ることができる。
【発明の効果】
【００３６】
本発明によれば、接続された２以上の機器間における動作を好適に連携させることができる、優れた情報処理装置及びその制御方法、情報処理コントローラ、情報処理ユニット及びその制御方法、並びにコンピュータプログラムを提供することができる。
【００３７】
また、本発明によれば、接続された複数の機器が協調動作により分散処理を行なうことで、仮想的に１台の機器として好適に動作することができる、優れた情報処理装置及びその制御方法、情報処理コントローラ、情報処理ユニット及びその制御方法、並びにコンピュータプログラムを提供することができる。
【００３８】
また、本発明によれば、１以上のサブプロセッサと各サブプロセッサにプログラムの実行を命令するメインプロセッサからなるマルチプロセッサ構成の情報処理コントローラを備える情報処理装置が外部の機器と好適に連携動作することができる、優れた情報処理装置及びその制御方法、情報処理コントローラ、情報処理ユニット及びその制御方法、並びにコンピュータプログラムを提供することができる。
【００３９】
また、本発明によれば、仮想的に１台の機器として動作するグリッドコンピューティングシステムにおいて、マルチプロセッサ構成の情報処理コントローラが一部のサブプロセッサを同じ情報処理装置内の他ユニットに利用させることができる、優れた情報処理装置及びその制御方法、情報処理コントローラ、情報処理ユニット及びその制御方法、並びにコンピュータプログラムを提供することができる。
【００４０】
本発明のさらに他の目的、特徴や利点は、後述する本発明の実施形態や添付する図面に基づくより詳細な説明によって明らかになるであろう。
【発明を実施するための最良の形態】
【００４１】
以下、図面を参照しながら本発明の実施形態について詳解する。
【００４２】
Ａ．システム構成
本発明は、２以上の情報処理装置間における動作をホームネットワーク経由で好適に連携させることにより、別々の場所に設定されている各機器における録画予約操作を簡易且つ効率的にするものである。ネットワーク上の機器同士を連携させるために、機器の協調動作により高い演算性能を実現するためのグリッドコンピューティング技術を活用する。
【００４３】
図１には、グリッドコンピューティングを適用して構成される、ネットワークシステムの構成を模式的に示している。
【００４４】
ネットワークは、インターネットやその他の広域ネットワーク、並びに、広域ネットワークとはゲートウェイなどを介して接続されるＬＡＮ（Ｌｏｃａｌ  Ａｒｅａ  Ｎｅｔｗｏｒｋ）やホームネットワークなどのプライベートなネットワークで構成される。ホームネットワークは、物理的には、１０ＢａｓｅＴや１００ＢａｓｅＴＸ、Ｇｉｇａ  ｅａｔｈｅｒなどの標準的なネットワークインターフェースで構成することができる。また、ホームネットワーク上で他の機器を発見する仕組みとしてＵｐｎｐ（Ｕｎｉｖｅｒｓａｌ  Ｐｌｕｇ  ａｎｄ  Ｐｌａｙ）を利用することができる。Ｕｐｎｐによれば、ネットワーク接続された機器間で、ＸＭＬ（ｅＸｔｅｎｄｅｄ  Ｍａｒｋｕｐ  Ｌａｎｇｕａｇｅ）形式で記述された定義ファイルを交換し、アドレッシング処理、ディスカバリ処理、サービス要求処理を経て相互認証を行なう。あるいは同一セグメント内での規定の機器情報を記述したパケットのブロードキャストすることによっても実現可能である。
【００４５】
ネットワーク上には、複数の情報処理装置が接続されている。情報処理装置の例として、ＤＶＤレコーダやＨＤレコーダのような、記録メディアを搭載し録画予約機能を備えたＡＶ機器、あるいはコンパクト・ディスクなどの記録機能を持たない再生専用のＡＶ機器、その他の情報処理装置が挙げられる。また、情報処理装置の他の例は、ＰＤＡやパーソナル・コンピュータなどの計算機処理システムを挙げることができる。図１に示す例では、ネットワーク９を介して複数の情報処理装置１、２、３、４が接続されている。
【００４６】
Ａ−１．情報処理装置及び情報処理コントローラ
情報処理装置１、２、３、４は、例えば各種のＡＶ（Ａｕｄｉｏ  ａｎｄ  Ｖｉｓｕａｌ）機器やポータブル機器である（後述）。
【００４７】
図示の通り、情報処理装置１は、コンピュータ機能部として情報処理コントローラ１１を備える。情報処理コントローラ１１は、メインプロセッサ２１−１、サブプロセッサ２３−１、２３−２、２３−３、ＤＭＡＣ（ダイレクトメモリアクセスコントローラ）２５−１、及びＤＣ（ディスクコントローラ）２７−１を備えている。情報処理コントローラ１１は、ワンチップＩＣ（集積回路）として構成することが望ましい。
【００４８】
メインプロセッサ２１−１は、サブプロセッサ２３−１、２３−２、２３−３によるプログラム実行（データ処理）のスケジュール管理と、情報処理コントローラ１１（情報処理装置１）の全般的な管理とを行なう。但し、メインプロセッサ２１−１内で管理を行なうためのプログラム以外のプログラムが動作するように構成することもできる。この場合、メインプロセッサ２１−１はサブプロセッサとしても機能することになる。メインプロセッサ２１−１は、ＬＳ（ローカル・ストレージ）２２−１を備えている。
【００４９】
１台の情報処理装置に備わるサブプロセッサは１つでもよいが、望ましくは複数とする。図示の例では、複数の場合である。各サブプロセッサ２３−１、２３−２、２３−３は、メインプロセッサ２１−１の制御下で、並列的且つ独立にプログラムを実行し、データを処理する。さらに、場合によってメインプロセッサ２１−１内のプログラムがサブプロセッサ２３−１、２３−２、２３−３内のプログラムと連携して動作することもできる。各サブプロセッサ２３−１、２３−２、２３−３も、それぞれＬＳ（ローカルストレージ）２４−１、２４−２、２４−３を備えている。
【００５０】
ＤＭＡＣ（直接メモリアクセスコントローラ）２５−１は、情報処理コントローラ１１に接続されたＤＲＡＭ（ダイナミックＲＡＭ）などからなるメインメモリ２６−１に格納されているプログラム及びデータにプロセッサの介在なしにアクセスするものである。また、ＤＣ（ディスクコントローラ）２７−１は、情報処理コントローラ１１に接続された外部記録部２８−１、２８−２へのアクセス動作を制御する。
【００５１】
外部記録部２８−１、２８−２は、固定ディスク（ハードディスク）、あるいはリムーバブルディスクのいずれの形態でもよい。また、リムーバブルディスクとして、ＭＯ（磁気ディスク）、ＣＤ±ＲＷ、ＤＶＤ±ＲＷなどの光ディスク、メモリディスク、ＳＲＡＭ（スタティックＲＡＭ）、ＲＯＭなど各種の記録メディアを用いることができる。ＤＣ２７−１は、ディスクコントローラと称するが、要するに外部記録部コントローラである。図１に示すように、外部記録部２８を複数接続できるように、情報処理コントローラ１１を構成することができる。
【００５２】
メインプロセッサ２１−１、各サブプロセッサ２３−１、２３−２、２３−３、ＤＭＡＣ２５−１、及びＤＣ２７−１は、バス２９−１によって相互接続されている。
【００５３】
情報処理コントローラ１１には、当該情報処理コントローラ１１を搭載する情報処理装置１をネットワーク全体を通して一意に識別できる識別子が、情報処理装置ＩＤとして割り当てられている。また、メインプロセッサ２１−１及び各サブプロセッサ２３−１、２３−２、２３−３に対しても同様に、それぞれを特定できる識別子が、メインプロセッサＩＤ及びサブプロセッサＩＤとして割り当てられる。
【００５４】
他の情報処理装置２、３、４も同様に構成されるので、ここでは説明を省略する。ここで、親番号が同一であるユニットは枝番号が異なっていても、特に断りがない限り同じ働きをするものとする。また、以下の説明において枝番号が省略されている場合には、枝番号の違いによる差異を生じないものとする。
【００５５】
Ａ−２．各サブプロセッサからメインメモリへのアクセス
上述したように、１つの情報処理コントローラ内の各サブプロセッサ２３は、独立にプログラムを実行し、データを処理するが、異なるサブプロセッサがメインメモリ２６内の同一領域に対して同時に読み出し又は書き込みを行なった場合には、データの不整合を生じ得る。そこで、サブプロセッサ２３からメインメモリ２６へのアクセスは、以下のような手順によって行なう。
【００５６】
図２（Ａ）には、メインメモリ２６内のロケーションを示している。同図に示すように、メインメモリ２６は複数のアドレスを指定できるメモリロケーションによって構成され、各メモリロケーションに対してデータの状態を示す情報を格納するための追加セグメントが割り振られる。追加セグメントは、Ｆ／Ｅビット、サブプロセッサＩＤ及びＬＳアドレス（ローカル・ストレージアドレス）を含むものとされる。また、各メモリロケーションには、後述のアクセス・キーも割り振られる。Ｆ／Ｅビットは、以下のように定義される。
【００５７】
Ｆ／Ｅビット＝０は、サブプロセッサ２３によって読み出されている処理中のデータ、又は空き状態であるため最新データではない無効データであり、読み出し不可であることを示す。また、Ｆ／Ｅビット＝０は、当該メモリ・ロケーションにデータ書き込み可能であることを示し、書き込み後に１に設定される。
【００５８】
Ｆ／Ｅビット＝１は、当該メモリロケーションのデータがサブプロセッサ２３によって読み出されておらず、未処理の最新データであることを示す。当該メモリ・ロケーションのデータは読み出し可能であり、サブプロセッサ２３によって読み出された後に０に設定される。また、Ｆ／Ｅビット＝１は、当該メモリ・ロケーションがデータ書き込み不可であることを示す。
【００５９】
さらに、上記Ｆ／Ｅビット＝０（読み出し不可／書き込み可）の状態において、当該メモリ・ロケーションについて読み出し予約を設定することは可能である。Ｆ／Ｅビット＝０のメモリロケーションに対して読み出し予約を行なう場合には、サブプロセッサ２３は、読み出し予約を行なうメモリロケーションの追加セグメントに、読み出し予約情報として当該サブプロセッサ２３のサブプロセッサＩＤ及びＬＳアドレスを書き込む。
【００６０】
その後、データ書き込み側のサブプロセッサ２３により、読み出し予約されたメモリ・ロケーションにデータが書き込まれ、Ｆ／Ｅビット＝１（読み出し可／書き込み不可）に設定されたとき、あらかじめ読み出し予約情報として追加セグメントに書き込まれたサブプロセッサＩＤ及びＬＳアドレスに読み出される。
【００６１】
複数のサブプロセッサによってデータを多段階に処理する必要がある場合、このように各メモリロケーションのデータの読み出し／書き込みを制御することにより、前段階の処理を行なうサブプロセッサ２３が処理済みのデータをメインメモリ２６上の所定のアドレスに書き込んだ後に即座に、後段階の処理を行なう別のサブプロセッサ２３が前処理後のデータを読み出すことが可能となる。
【００６２】
また、図２（Ｂ）には、各サブプロセッサ２３内のＬＳ２４におけるメモリロケーションを示している。同図に示すように、各サブプロセッサ２３内のＬＳ２４も、複数のアドレスを指定できるメモリロケーションによって構成される。各メモリロケーションに対しては、同様に追加セグメントが割り振られる。追加セグメントは、ビジービットを含むものとされる。
【００６３】
サブプロセッサ２３がメインメモリ２６内のデータを自身のＬＳ２４のメモリロケーションに読み出すときには、対応するビジービットを１に設定して予約する。ビジービットが１であるメモリロケーションには、他のデータは格納することができない。ＬＳ２４のメモリロケーションに読み出し後、ビジービットは０になり、任意の目的に使用できるようになる。
【００６４】
図２（Ａ）に示すように、さらに、各情報処理コントローラと接続されたメインメモリ２６には、メインメモリ２６内の領域を画定する複数のサンドボックスが含まれる。メインメモリ２６は、複数のメモリロケーションから構成されるが、サンドボックスは、これらのメモリロケーションの集合である。各サンドボックスは、サブプロセッサ２３毎に割り当てられ、該当するサブプロセッサが排他的に使用することができる。すなわち、各々のサブプロセッサ２３は、自身に割り当てられたサンドボックスを使用できるが、この領域を超えてデータのアクセスを行なうことはできない。
【００６５】
さらに、メインメモリ２６の排他的な制御を実現するために、図２（Ｃ）に示すようなキー管理テーブルが用いられる。キー管理テーブルは、情報処理コントローラ内のＳＲＡＭのような比較的高速のメモリに格納され、ＤＭＡＣ２５と関連付けられる。キー管理テーブル内の各エントリには、サブプロセッサＩＤ、サブプロセッサ・キー及びキーマスクが含まれる。
【００６６】
サブプロセッサ２３がメインメモリ２６を使用する際のプロセスは、以下の通りである。まず、サブプロセッサ２３はＤＭＡＣ２５に、読み出し又は書き込みのコマンドを出力する。このコマンドには、自身のサブプロセッサＩＤと、使用要求先であるメインメモリ２６のアドレスが含まれる。
【００６７】
ＤＭＡＣ２５は、このコマンドを実行する前にキー管理テーブルを参照し、使用要求元のサブプロセッサのサブプロセッサキーを調べる。次に、ＤＭＡＣ２５は、調べた使用要求元のサブプロセッサキーと、使用要求先であるメインメモリ２６内の図２（Ａ）に示したメモリロケーションに割り振られたアクセスキーとを比較して、２つのキーが一致した場合にのみ、上記のコマンドを実行する。
【００６８】
図２（Ｃ）に示したキー管理テーブル上のキーマスクは、その任意のビットが１になることによって、そのキーマスクに関連付けられたサブプロセッサキーの対応するビットが０又は１になることができる。
【００６９】
例えば、サブプロセッサキーが１０１０であるとする。通常、このサブプロセッサキーによって１０１０のアクセスキーを持つサンドボックスへのアクセスだけが可能になる。しかし、このサブプロセッサキーと関連付けられたキーマスクが０００１に設定されている場合には、キーマスクのビットが１に設定された桁のみにつき、サブプロセッサキーとアクセスキーとの一致判定がマスクされ、このサブプロセッサキー１０１０によってアクセスキーが１０１０又は１０１１のいずれかであるアクセスキーを持つサンドボックスへのアクセスが可能となる。
【００７０】
以上のようにして、メインメモリ２６のサンドボックスの排他性が実現される。すなわち、１つの情報処理コントローラ内に配置された複数のサブプロセッサによってデータを多段階に処理する必要がある場合、前段階の処理を行なうサブプロセッサと、後段階の処理を行なうサブプロセッサのみが、メインメモリ２６の所定アドレスにアクセスできるようになり、データを保護することができる。
【００７１】
このようなメモリの排他制御は、例えば以下のように使用することができる。まず、情報処理装置の起動直後においては、キーマスクの値はすべてゼロである。メインプロセッサ内のプログラムが実行され、サブプロセッサ内のプログラムと連携動作するものとする。第１のサブプロセッサにより出力された処理結果データを一旦メインメモリに格納し、第２のサブプロセッサに入力したいときには、該当するメインメモリ領域は、当然どちらのサブプロセッサからもアクセス可能である必要がある。このような場合に、メインプロセッサ内のプログラムは、キーマスクの値を適切に変更し、複数のサブプロセッサからアクセスできるメインメモリ領域を設けることにより、サブプロセッサによる多段階的の処理を可能にする。
【００７２】
より具体的には、他の情報処理装置からのデータ→第１のサブプロセッサによる処理→第１のメインメモリ領域→第２のサブプロセッサによる処理→第２のメインメモリ領域、という手順で多段階処理が行なわれるときには、以下のような設定のままでは、第２のサブプロセッサは第１のメインメモリ領域にアクセスすることができない。
【００７３】
第１のサブプロセッサのサブプロセッサ・キー：０１００、
第１のメインメモリ領域のアクセス・キー    ：０１００、
第２のサブプロセッサのサブプロセッサ・キー：０１０１、
第２のメインメモリ領域のアクセス・キー    ：０１０１
【００７４】
そこで、第２のサブプロセッサのキーマスクを０００１にすることにより、第２のサブプロセッサによる第１のメインメモリ領域へのアクセスを可能にすることができる。
【００７５】
Ａ−３．ソフトウェアセルの生成及び構成
図１のネットワークシステムでは、情報処理装置１、２、３、４間での分散処理のために、情報処理装置１、２、３、４間でソフトウェアセルが伝送される。すなわち、ある情報処理装置内の情報処理コントローラに含まれるメインプロセッサ２１は、コマンド、プログラム及びデータを含むソフトウェアセルを生成し、ネットワーク９を介して他の情報処理装置に送信することによって、処理を分散することができる。
【００７６】
図３には、ソフトウェアセルの構成の一例を示している。図示のソフトウェアセルは、送信元ＩＤ、送信先ＩＤ、応答先ＩＤ、セルインターフェース、ＤＭＡコマンド、プログラム、及びデータによって構成される。
【００７７】
送信元ＩＤには、ソフトウェアセルの送信元である情報処理装置のネットワークアドレス及び当該情報処理装置内の情報処理コントローラの情報処理装置ＩＤ、さらに、当該情報処理装置内の情報処理コントローラが備えるメインプロセッサ２１及び各サブプロセッサ２３の識別子（メインプロセッサＩＤ及びサブプロセッサＩＤ）が含まれる。
【００７８】
送信先ＩＤ及び応答先ＩＤには、ソフトウェアセルの送信先である情報処理装置、及びソフトウェアセルの実行結果の応答先である情報処理装置についての同じ情報がそれぞれ含まれる。
【００７９】
セルインターフェースは、ソフトウェアセルの利用に必要な情報であり、グローバルＩＤ、必要なサブプロセッサの情報、サンドボックスサイズ、及び前回のソフトウェアセルＩＤで構成される。
【００８０】
グローバルＩＤは、ネットワーク全体を通して当該のソフトウェアセルを一意的に識別できるものであり、送信元ＩＤと、ソフトウェアセルの作成又は送信の日時（日付及び時刻）に基づいて作成される。
【００８１】
必要なサブプロセッサの情報は、当該ソフトウェアセルの実行に必要なサブプロセッサの数が設定される。サンドボックスサイズは、当該ソフトウェアセルの実行に必要なメインメモリ２６内及びサブプロセッサ２３のＬＳ２４内のメモリ量が設定される。
【００８２】
前回のソフトウェアセルＩＤは、ストリーミングデータなどのシーケンシャルな実行を要求する１グループのソフトウェアセル内の、前回のソフトウェアセルの識別子である。
【００８３】
ソフトウェアセルの実行セクションは、ＤＭＡコマンド、プログラム及びデータで構成される。ＤＭＡコマンドには、プログラムの起動に必要な一連のＤＭＡコマンドが含まれ、プログラムには、サブプロセッサ２３によって実行されるサブプロセッサプログラムが含まれる。ここでのデータは、このサブプロセッサプログラムを含むプログラムによって処理されるデータである。
【００８４】
さらに、ＤＭＡコマンドには、ロードコマンド、キックコマンド、機能プログラム実行コマンド、ステータス要求コマンド、及びステータス返信コマンドが含まれる。
【００８５】
ロードコマンドは、メインメモリ２６内の情報をサブプロセッサ２３内のＬＳ２４にロードするコマンドであり、ロードコマンド自体の他に、メインメモリアドレス、サブプロセッサＩＤ及びＬＳアドレスを含む。メインメモリアドレスは、情報のロード元であるメインメモリ２６内の所定領域のアドレスを示す。サブプロセッサＩＤ及びＬＳアドレスは、情報のロード先であるサブプロセッサ２３の識別子及びＬＳ２４のアドレスを示す。
【００８６】
キックコマンドは、プログラムの実行を開始するコマンドであり、キックコマンド自体の他に、サブプロセッサＩＤ及びプログラムカウンタを含む。サブプロセッサＩＤは、キック対象のサブプロセッサ２３を識別し、プログラムカウンタは、プログラム実行用プログラムカウンタのためのアドレスを与える。
【００８７】
機能プログラム実行コマンドは、ある情報処理装置が他の情報処理装置に対して、機能プログラムの実行を要求するコマンドである（後述）。機能プログラム実行コマンドを受信した情報処理装置内の情報処理コントローラは、機能プログラムＩＤ（後述）によって、起動すべき機能プログラムを識別する。
【００８８】
ステータス要求コマンドは、送信先ＩＤで示される情報処理装置の現在の動作状態（状況）に関する装置情報を、応答先ＩＤで示される情報処理装置宛に送信要求するコマンドである。機能プログラムについては後述するが、図６に示す情報処理コントローラのメインメモリ２６が記憶するソフトウェアの構成図において機能プログラムにカテゴライズされるプログラムである。機能プログラムは、メインメモリ２６にロードされ、メインプロセッサ２１により実行される。
【００８９】
ステータス返信コマンドは、上記のステータス要求コマンドを受信した情報処理装置が、自身の装置情報を当該ステータス要求コマンドに含まれる応答先ＩＤで示される情報処理装置に応答するコマンドである。ステータス返信コマンドは、実行セクションのデータ領域に装置情報を格納する。
【００９０】
図４には、ＤＭＡコマンドがステータス返信コマンドである場合におけるソフトウェアセルのデータ領域の構造を示している。
【００９１】
情報処理装置ＩＤは、情報処理コントローラを備える情報処理装置を識別するための識別子であり、ステータス返信コマンドを送信する情報処理装置のＩＤを示す。情報処理装置ＩＤは、電源投入時に、その情報処理装置内の情報処理コントローラに含まれるメインプロセッサ２１によって、電源投入時の日時、情報処理装置のネットワークアドレス及び情報処理装置内の情報処理コントローラに含まれるサブプロセッサ２３の数などに基づいて生成される。
【００９２】
情報処理装置種別ＩＤには、当該情報処理装置の特徴を表す値が含まれる。ここで言う情報処理装置の特徴とは、例えば、ハードディスクレコーダ（後述）、ＰＤＡ（Ｐｅｒｓｏｎａｌ  Ｄｉｇｉｔａｌ  Ａｓｓｉｓｔａｎｔｓ）、ポータブルＣＤ（Ｃｏｍｐａｃｔ  Ｄｉｓｃ）プレーヤなどである。また、情報処理装置種別ＩＤは、映像音声記録、映像音声再生など、情報処理装置が持つ機能を表すものであってもよい、情報処理装置の特徴や機能を表す値はあらかじめ決められているものとし、情報処理装置種別ＩＤを呼び出すことにより当該情報処理装置の特徴や機能を把握することが可能である。
【００９３】
ＭＳ（マスター／スレーブ）ステータスは、後述するように情報処理装置がマスター装置又はスレーブ装置のいずれで動作しているかを表すもので、これが０に設定されている場合にはマスター装置として動作していることを示し、１に設定されている場合にはスレーブ装置として動作していることを示す。
【００９４】
メインプロセッサ動作周波数は、情報処理コントローラ内のメインプロセッサ２１の動作周波数を表す。メインプロセッサ使用率は、メインプロセッサ２１で現在動作しているすべてのプログラムについての、メインプロセッサ２１での使用率を表す。メインプロセッサ使用率は、対象メインプロセッサの全処理能力に対する使用中の処理能力の比率を表した値で、例えばプロセッサ処理能力評価のための単位であるＭＩＰＳ［Ｍｉｌｌｉｏｎ Ｉｎｓｔｒｕｃｔｉｏｎｓ Ｐｅｒ Ｓｅｃｏｎｄ］を単位として算出され、又は単位時間当りのプロセッサ使用時間に基づいて算出される。後述のサブプロセッサ使用率についても同様である。
【００９５】
サブプロセッサ数は、当該の情報処理コントローラが備えるサブプロセッサ２３の数を表す。サブプロセッサＩＤは、当該の情報処理コントローラ内の各サブプロセッサ２３を識別するための識別子である。
【００９６】
サブプロセッサステータスは、各サブプロセッサ２３の状態を表すものであり、ｕｎｕｓｅｄ、ｒｅｓｅｒｖｅｄ，ｂｕｓｙなどの状態がある。ｕｎｕｓｅｄは、当該サブプロセッサが現在使用されてなく、使用の予約もされていないことを示す。ｒｅｓｅｒｖｅｄは、現在は使用されていないが、予約されている状態を示す。ｂｕｓｙは、現在使用中であることを示す。
【００９７】
サブプロセッサ使用率は、当該のサブプロセッサで現在実行している、又は当該のサブプロセッサに実行が予約されているプログラムについての、当該サブプロセッサでの使用率を表す。すなわち、サブプロセッサ使用率は、サブプロセッサステータスがｂｕｓｙである場合には、現在の使用率を示し、サブプロセッサステータスがｒｅｓｅｒｖｅｄである場合には、後に使用される予定の推定使用率を示す。
【００９８】
サブプロセッサＩＤ、サブプロセッサステータス及びサブプロセッサ使用率は、１つのサブプロセッサ２３に対して一組設定され、１つの情報処理コントローラ内のサブプロセッサ２３に対応する組数が設定される。
【００９９】
メインメモリ総容量及びメインメモリ使用量は、それぞれ、当該の情報処理コントローラに接続されているメインメモリ２６の総容量及び現在使用中の容量を表す。
【０１００】
外部記録部数は、当該の情報処理コントローラに接続されている外部記録部２８の数を表す。外部記録部ＩＤは、当該の情報処理コントローラに接続されている外部記録部２８を一意的に識別する情報である。外部記録部種別ＩＤは、当該の外部記録部の種類（例えば、ハードディスク、ＣＤ±ＲＷ、ＤＶＤ±ＲＷ、メモリディスク、ＳＲＡＭ、ＲＯＭなど）を表す。
【０１０１】
外部記録部総容量及び外部記録部使用量は、それぞれ外部記録部ＩＤによって識別される外部記録部２８の総容量及び現在使用中の容量を表す。
【０１０２】
外部記録部ＩＤ、外部記録部種別ＩＤ、外部記録部総容量及び外部記録部使用量は、１つの外部記録部２８に対して１組設定されるものであり、当該情報処理コントローラに接続されている外部記録部２８の数の組数だけ設定される。すなわち、１つの情報処理コントローラに複数の外部記録部が接続されている場合、それぞれの外部記録部には異なる外部記録部ＩＤが割り当てられ、外部記録部種別ＩＤ、外部記録部総容量及び外部記録部使用量も別々に管理される。
【０１０３】
Ａ−４ソフトウェアセルの実行
ある情報処理装置内の情報処理コントローラに含まれるメインプロセッサ２１は、上述したような構成のソフトウェアセルを生成し、ネットワーク９を介して他の情報処理装置及び当該装置内の情報処理コントローラに送信する。送信元の情報処理装置、送信先の情報処理装置、応答先の情報処理装置、及び各装置内の情報処理コントローラは、それぞれ、上記の送信元ＩＤ、送信先ＩＤ及び応答先ＩＤによって識別される。
【０１０４】
ソフトウェアセルを受信した情報処理装置内の情報処理コントローラに含まれるメインプロセッサ２１は、そのソフトウェアセルをメインメモリ２６に格納する。さらに、送信先のメインプロセッサ２１は、ソフトウェアセルを読み出し、それに含まれるＤＭＡコマンドを処理する。
【０１０５】
具体的には、送信先のメインプロセッサ２１は、まず、ロードコマンドを実行する。これによって、ロードコマンドで指示されたメインメモリアドレスから、ロードコマンドに含まれるサブプロセッサＩＤ及びＬＳアドレスで特定されるサブプロセッサ内のＬＳ２４の所定領域に情報がロードされる。ここでロードされる情報は、受信したソフトウェアセルに含まれるサブプロセッサプログラム又はデータ、あるいはその他の指示されたデータである。
【０１０６】
次に、メインプロセッサ２１は、キックコマンドを、これに含まれるサブプロセッサＩＤで指示されたサブプロセッサに、同様にキックコマンドに含まれるプログラムカウンタとともに出力する。
【０１０７】
指示されたサブプロセッサは、そのキックコマンド及びプログラムカウンタに従って、サブプロセッサプログラムを実行する。そして、実行結果をメインメモリ２６に格納した後、実行を完了したことをメインプロセッサ２１に通知する。
【０１０８】
なお、送信先の情報処理装置内の情報処理コントローラにおいてソフトウェアセルを実行するプロセッサはサブプロセッサ２３に限定されるものではなく、メインプロセッサ２１がソフトウェアセルに含まれる機能プログラムなどのメインメモリ用プログラムを実行するように指定することも可能である。
【０１０９】
この場合には、送信元の情報処理装置は、送信先の情報処理装置宛に、サブプロセッサプログラムの代わりに、メインメモリ用プログラム及びそのメインメモリ用プログラムによって処理されるデータを含み、ＤＭＡコマンドがロードコマンドであるソフトウェアセルを送信し、メインメモリ２６にメインメモリ用プログラム及びそれによって処理されるデータを記憶させる。
【０１１０】
次に、送信元の情報処理装置は、送信先の情報処理装置宛てに、送信先の情報処理装置内の情報処理コントローラについてのメインプロセッサＩＤ、メインメモリ・アドレス、メインメモリ用プログラムを識別するための後述の機能プログラムＩＤなどの識別子、及びプログラムカウンタを含み、ＤＭＡコマンドがキックコマンド又は機能プログラム実行コマンドであるソフトウェアセルを送信し、メインプロセッサ２１に当該メインメモリ用プログラムを実行させる。
【０１１１】
以上のように、本実施形態に係るネットワークシステムでは、送信元の情報処理装置は、サブプロセッサプログラム又はメインメモリ用プログラムをソフトウェアセルによって送信先の情報処理装置に送信するとともに、当該サブプロセッサプログラムを送信先の情報処理装置内の情報処理コントローラに含まれるサブプロセッサ２３にロードさせ、当該サブプロセッサプログラム又は当該メインメモリ用プログラムを送信先の情報処理装置に実行させることができる。
【０１１２】
送信先の情報処理装置内の情報処理コントローラでは、受信したソフトウェアセルに含まれるプログラムがサブプロセッサプログラムである場合には、当該サブプロセッサプログラムを指定されたサブプロセッサにロードさせる。そして、ソフトウェアセルに含まれるサブプロセッサプログラム又はメインメモリ用プログラムを実行させる。
【０１１３】
したがって、ユーザが送信先の情報処理装置を操作しなくても、当該サブプロセッサプログラム又は当該メインメモリ用プログラムを送信先の情報処理装置内の情報処理コントローラにおいて自動的に実行させることができる。
【０１１４】
このようにして情報処理装置は、自装置内の情報処理コントローラがサブプロセッサプログラム又は機能プログラムなどのメインメモリ用プログラムを備えていない場合には、ネットワークに接続された他の情報処理装置からそれらを取得することができる。さらに、各サブプロセッサ間ではＤＭＡ方式によりデータ転送を行ない、また上述したサンドボックスを使用することにより、１つの情報処理コントローラ内でデータを多段階に処理する必要がある場合でも、高速且つ高セキュリティに処理を実行することができる。
【０１１５】
Ａ−５．ネットワークシステムとしての分散処理
図５には、複数の情報処理装置が仮想的な１台の情報処理装置として動作している様子を示している。ソフトウェアセルの使用による分散処理の結果、同図の上段に示すように、ネットワーク９に接続されている複数の情報処理装置１、２、３、４は、同図の下段に示すように、仮想的な１台の情報処理装置７として動作する。但し、このような仮想的な動作を実現するためには、以下のような構成によって、以下のような処理が実行される必要がある。
【０１１６】
Ａ−６．システムのソフトウェア構成とプログラムのロード
図６には、個々の情報処理コントローラのメインメモリ２６が記憶するソフトウェアの構成を示している。これらのソフトウェア（プログラム）は、情報処理装置に電源が投入される前に、当該の情報処理コントローラに接続される外部記録部２８に記録されているものである。各プログラムは、機能又は特徴により、制御プログラム、機能プログラム及びデバイスドライバに分類される。
【０１１７】
制御プログラムは、各情報処理コントローラが同じものを備え、各情報処理コントローラのメインプロセッサ２１が実行するもので、後述のＭＳ（マスター／スレーブ）マネージャ及び能力交換プログラムを含む。
【０１１８】
機能プログラムは、メインプロセッサ２１が実行するもので、記録用、再生用、素材検索用など、情報処理コントローラ毎に情報処理装置に応じたものが備えられる。
【０１１９】
デバイスドライバは、情報処理コントローラ（情報処理装置）の入出力（送受信）用で、放送受信、モニタ出力、ビットストリーム入出力、ネットワーク入出力など、情報処理コントローラ毎に情報処理装置に応じたものが備えられる。
【０１２０】
ケーブルの差し込みなどによって情報処理装置が物理的にネットワーク９に接続された状態で、情報処理装置に主電源が投入され、情報処理装置が電気的・機能的にもネットワーク９に接続されると、その情報処理装置の情報処理コントローラのメインプロセッサ２１は、制御プログラムに属する各プログラム、及びデバイスドライバに属する各プログラムを、メインメモリ２６にロードする。
【０１２１】
プログラムのロード手順としては、メインプロセッサ２１は、まず、ＤＣ２７に読み出し命令を実行させることによって、外部記録部２８からプログラムを読み出し、次に、ＤＭＡＣ２５に書き込み命令を実行させることによって、そのプログラムをメインメモリ２６に書き込む。
【０１２２】
機能プログラムに属する各プログラムについては、必要なときに必要なプログラムだけをメモリにロードするように構成してもよく、あるいは他のカテゴリに属するプログラムと同様に、主電源投入直後に各プログラムをロードするように構成してもよい。
【０１２３】
機能プログラムに属する各プログラムは、ネットワークに接続されたすべての情報処理装置の外部記録部２８に記録されている必要はなく、いずれか１つの情報処理装置の外部記録部２８に記録されていれば、前述の方法によって他の情報処理装置からロードすることができるので、結果的に図５の下段に示すように、仮想的な１台の情報処理装置７として機能プログラムを実行することができる。
【０１２４】
ここで、前述したようにメインプロセッサ２１によって処理される機能プログラムは、サブプロセッサ２３によって処理されるサブプロセッサプログラムと連携動作する場合がある。そこでメインプロセッサ２１が外部記録部２８から機能プログラムを読み出し、メインメモリ２６に書き込む際に対象となる機能プログラムと連携動作するサブプロセッサプログラムが存在する場合には、当該サブプロセッサプログラムも併せて同じメインメモリ２６に書き込むものとする。この場合、連携動作するサブプロセッサプログラムは１個である場合もあるし、複数個であることもあり得る。複数個である場合には、すべての連携動作するサブプロセッサプログラムをメインメモリ２６に書き込むことになる。メインメモリ２６に書き込まれたサブプロセッサプログラムはその後、サブプロセッサ２３内のＬＳ２４に書き込まれ、メインプロセッサ２１によって処理される機能プログラムと連携動作する。
【０１２５】
そして、サブプロセッサプログラムにもサブプロセッサプログラムＩＤが割り当てられ、これによりサブプロセッサプログラムを一意的に識別可能である。割り当てられるサブプロセッサプログラムＩＤは、連携動作する相手となる機能プログラムの機能プログラムＩＤと関連性のある識別子、例えば機能プログラムＩＤを親番号とした上で最後尾に枝番号を付加させたものなどであることもあり得るし、連携動作する相手となる機能プログラムの機能プログラムＩＤとは関連性のない識別子であってもよい。いずれにしても機能プログラムとサブプロセッサプログラムが連携動作する場合には、両者とも相手の識別子であるプログラムＩＤを自プログラム内に互いに記憶しておく必要がある。機能プログラムが複数個のサブプロセッサプログラムと連携動作する場合にも、当該機能プログラムは複数個あるすべてのサブプロセッサプログラムのサブプロセッサプログラムＩＤを記憶しておくことになる。
【０１２６】
図３のソフトウェアセルに示したように、機能プログラムには、プログラム毎にプログラムを一意的に識別できる識別子が機能プログラムＩＤとして割り当てられる。機能プログラムＩＤは、機能プログラムの作成の段階で、作成日時や情報処理装置ＩＤなどから決定される。
【０１２７】
メインプロセッサ２１は、自身が動作する情報処理装置の装置情報（動作状態に関する情報）を格納するための領域をメインメモリ２６に確保し、当該情報を自装置の装置情報テーブルとして記録する。ここで言う装置情報は、図４に示したステータス返信コマンドのデータ領域における情報処理装置ＩＤ以下の各情報である。
【０１２８】
Ａ−７．システムにおけるマスター／スレーブの決定
上述したネットワークシステムでは、ある情報処理装置への主電源投入時、その情報処理装置の情報処理コントローラのメインプロセッサ２１は、マスター／スレーブマネージャ（以下、ＭＳマネージャ）をメインメモリ２６にロードし、実行する。
【０１２９】
ＭＳマネージャは、自身が動作する情報処理装置がネットワーク９に接続されていることを検知すると、同じネットワーク９に接続されている他の情報処理装置の存在を確認する。ここでの「接続」又は「存在」は、上述したように、情報処理装置が物理的にネットワーク９に接続されているだけでなく、電気的・機能的にもネットワーク９に接続されていることを示す。
【０１３０】
また、自身が動作する情報処理装置を自装置、他の情報処理装置を他装置と称する。当該装置も、当該情報処理装置を示すものとする。
【０１３１】
ＭＳマネージャが同じネットワーク９に接続されている他の情報処理装置の存在を確認する方法について以下に説明する。
【０１３２】
ＭＳマネージャは、ＤＭＡコマンドがステータス要求コマンドであり、送信元ＩＤ及び応答先ＩＤが当該情報処理装置で、送信先ＩＤを特定しないソフトウェアセルを生成し、当該情報処理装置が接続されたネットワーク上に送信し、ネットワーク接続確認用のタイマーを設定する。タイマーのタイムアウト時間は、例えば１０分である。
【０１３３】
当該ネットワークシステム上に他の情報処理装置が接続されている場合、その他装置は、上記ステータス要求コマンドのソフトウェアセルを受信し、上記応答先ＩＤで特定されるステータス要求コマンドを発行した情報処理装置に対して、ＤＭＡコマンドがステータス返信コマンドで、且つデータとして自身（その他装置）の装置情報を含むソフトウェアセルを送信する。このステータス返信コマンドのソフトウェアセルには、少なくとも当該他装置を特定する情報（情報処理装置ＩＤ、メインプロセッサに関する情報、サブプロセッサに関する情報など）、及び当該他装置のＭＳステータスが含まれる。
【０１３４】
ステータス要求コマンドを発行した情報処理装置のＭＳマネージャは、上記ネットワーク接続確認用のタイマーがタイムアウトするまで、当該ネットワーク上の他装置から送信されるステータス返信コマンドのソフトウェアセルの受信を監視する。その結果、ＭＳステータス＝０（マスター装置）を示すステータス返信コマンドが受信された場合には、自装置の装置情報テーブルにおけるＭＳステータスを１に設定する。これによって、当該装置はスレーブ装置となる。
【０１３５】
一方、上記ネットワーク接続確認用のタイマーがタイムアウトするまでの間にステータス返信コマンドがまったく受信されなかった場合、又はＭＳステータス＝０（マスター装置）を示すステータス返信コマンドが受信されなかった場合には、自装置の装置情報テーブルにおけるＭＳステータスを０に設定する。これによって、当該装置はマスター装置となる。
【０１３６】
すなわち、いずれの装置もネットワーク９に接続されていない状態、又はネットワーク９上にマスター装置が存在しない状態において、新たな情報処理装置がネットワーク９に接続されると、当該装置は自動的にマスター装置として設定される。一方、ネットワーク９上に既にマスター装置が存在する状態において、新たな情報処理装置がネットワーク９に接続されると、当該装置は自動的にスレーブ装置として設定される。
【０１３７】
マスター装置及びスレーブ装置のいずれについても、ＭＳマネージャは、定期的にステータス要求コマンドをネットワーク９上の他装置に送信してステータス情報を照会することにより、他装置の状況を監視する。この結果、ネットワーク９に接続されている情報処理装置の主電源が遮断され、又はネットワーク９から情報処理装置が切り離されることにより、あらかじめ判定用に設定された所定期間内に特定の他装置からステータス返信コマンドが返信されなかった場合や、ネットワーク９に新たな情報処理装置が接続された場合など、ネットワーク９の接続状態に変化があった場合には、その情報を後述の能力交換プログラムに通知する。
【０１３８】
Ａ−８．マスター装置及びスレーブ装置における装置情報の取得
メインプロセッサ２１は、ＭＳマネージャから、ネットワーク９に接続された他の情報処理装置の照会及び自装置のＭＳステータスの設定完了の通知を受けると、能力交換プログラムを実行する。
【０１３９】
能力交換プログラムは、自装置がマスター装置である場合には、ネットワーク９に接続されている他のすべての情報処理装置についての装置情報、すなわち各スレーブ装置の装置情報を取得する。
【０１４０】
他装置の装置情報の取得は、上述したように、ＤＭＡコマンドがステータス要求コマンドであるソフトウェアセルを生成して他装置に送信し、その後、ＤＭＡコマンドがステータス返信コマンドで、且つデータとして他装置の装置情報を含むソフトウェアセルを他装置から受信することによって可能である。
【０１４１】
能力交換プログラムは、マスター装置である自装置の装置情報テーブルと同様に、ネットワーク９に接続されている他のすべての装置（各スレーブ装置）についての装置情報を格納するための領域を自装置のメインメモリ２６に確保し、これら情報を他装置（スレーブ装置）の装置情報テーブルとして記録する。すなわち、マスター装置のメインメモリ２６には、自装置を含むネットワーク９に接続されているすべての情報処理装置の装置情報が装置情報テーブルとして記録される。
【０１４２】
一方、能力交換プログラムは、自装置がスレーブ装置である場合には、ネットワーク９に接続されている他のすべての装置についての装置情報、すなわちマスター装置及び自装置以外の各スレーブ装置の装置情報を取得し、これら装置情報に含まれる情報処理装置ＩＤ及びＭＳステータスを、自装置のメインメモリ２６に記録する。すなわち、スレーブ装置のメインメモリ２６には、自装置の装置情報が、装置情報テーブルとして記録されるとともに、自装置以外のネットワーク９に接続されているマスター装置及び各スレーブ装置についての情報処理装置ＩＤ及びＭＳステータスが、別の装置情報テーブルとして記録される。
【０１４３】
また、マスター装置及びスレーブ装置のいずれについても、能力交換プログラムは、上記のようにＭＳマネージャから、新たにネットワーク９に情報処理装置が接続されたことが通知されたときには、その情報処理装置の装置情報を取得し、上述したようにメインメモリ２６に記録する。
【０１４４】
なお、ＭＳマネージャ及び能力交換プログラムは、メインプロセッサ２１で実行されることに限らず、いずれかのサブプロセッサ２３で実行されてもよい。また、ＭＳマネージャ及び能力交換プログラムは、情報処理装置の主電源が投入されている間は常時動作する常駐プログラムであることが望ましい。
【０１４５】
Ａ−９．情報処理装置がネットワークから切断された場合
マスター装置及びスレーブ装置のいずれについても、能力交換プログラムは、上記のようにＭＳマネージャから、ネットワーク９に接続されている情報処理装置の主電源が遮断され、又はネットワーク９から情報処理装置が切り離されたことが通知されたときには、その情報処理装置の装置情報テーブルを自装置のメインメモリ２６から削除する。
【０１４６】
さらに、このようにネットワーク９から切断された情報処理装置がマスター装置である場合には、以下のような方法によって、新たにマスター装置が決定される。
【０１４７】
例えば、ネットワーク９から切断されていない情報処理装置は、それぞれ、自装置及び他装置の情報処理装置ＩＤを数値に置き換え、自装置の情報処理装置ＩＤを他装置の情報処理装置ＩＤと比較し、自装置の情報処理装置ＩＤがネットワーク９から切断されていない情報処理装置中で最小である場合、そのスレーブ装置は、マスター装置に移行し、ＭＳステータスを０に設定し、マスター装置として、上述したように、ネットワーク９に接続されている他のすべての情報処理装置（各スレーブ装置）から装置情報を取得して、メインメモリ２６に記録する。
【０１４８】
Ａ−１０．装置情報に基づく分散処理
図５の下段に示したようにネットワーク９に接続されている複数の情報処理装置１、２、３、４を仮想的な１台の情報処理装置７として動作させるためには、マスター装置がユーザの操作及びスレーブ装置の動作状態を把握する必要がある。
【０１４９】
図７には、４台の情報処理装置が仮想的な１台の情報処理装置７として動作する様子を示している。図示の例では、情報処理装置１がマスター装置、情報処理装置２、３、４がスレーブ装置Ａ、Ｂ、Ｃとしてそれぞれ動作しているものとする。
【０１５０】
ユーザがネットワーク９に接続されている情報処理装置を操作した場合、操作対象がマスター装置１であれば、その操作情報はマスター装置１において直接把握される。また、操作対象がスレーブ装置であれば、その操作情報は操作されたスレーブ装置からマスター装置１に送信される。すなわち、ユーザの操作対象がマスター装置１とスレーブ装置のいずれであるかにかかわらず、その操作情報は常にマスター装置１において把握される。操作情報の送信は、例えば、ＤＭＡコマンドが操作情報送信コマンドであるソフトウェアセルによって行なわれる。
【０１５１】
そして、マスター装置１内の情報処理コントローラ１１に含まれるメインプロセッサ２１−１は、その操作情報に従って、実行する機能プログラムを選択する。その際、必要であれば、マスター装置１内の情報処理コントローラ１１に含まれるメインプロセッサ２１−１は、上記の方法によって自装置の外部記録部２８−１、２８−２からメインメモリ２６−１に機能プログラムをロードするが、他の情報処理装置（スレーブ装置）がマスター装置１に機能プログラムを送信してもよい。
【０１５２】
機能プログラムには、その実行単位毎に必要となる、情報処理装置種別ＩＤ、メインプロセッサ又はサブプロセッサの処理能力、メインメモリ使用量、外部記録部に関する条件などの装置に関する要求スペック（図４を参照のこと）が規定されている。
【０１５３】
マスター装置１内の情報処理コントローラ１１に含まれるメインプロセッサ２１−１は、各機能プログラムについて必要となる上記の要求スペックを読み出す。また、あらかじめ能力交換プログラムによってメインメモリ２６−１に記録された装置情報テーブルを参照し、各情報処理装置の装置情報を読み出す。ここでの装置情報は、図４に示した情報処理装置ＩＤ以下の各情報を示し、メインプロセッサ、サブプロセッサ、メインメモリ及び外部記録部に関する情報である。
【０１５４】
マスター装置１内の情報処理コントローラ１１に含まれるメインプロセッサ２１−１は、ネットワーク９上に接続された各情報処理装置の上記装置情報と、機能プログラム実行に必要となる上記要求スペックとを順次比較する。
【０１５５】
例えば、機能プログラムが録画機能を必要とする場合には、情報処理装置種別ＩＤに基づいて、録画機能を有する情報処理装置のみを特定して抽出する。さらに、機能プログラムを実行するために必要なメインプロセッサ又はサブプロセッサの処理能力、メインメモリ使用量、外部記録部に関する条件を確保できるスレーブ装置を、実行要求候補装置として特定する。ここで、複数の実行要求候補装置が特定された場合には、当該候補装置から１つの実行要求候補装置を特定して選択する。
【０１５６】
実行要求するスレーブ装置が特定されたら、マスター装置１内の情報処理コントローラ１１に含まれるメインプロセッサ２１−１は、その特定されたスレーブ装置について、自装置内の情報処理コントローラ１１に含まれるメインメモリ２６−１に記録されている当該スレーブ装置の装置情報テーブルを更新する。
【０１５７】
さらに、マスター装置１内の情報処理コントローラ１１に含まれるメインプロセッサ２１−１は、ＤＭＡコマンドが機能プログラム実行コマンドであるソフトウェアセルを生成し、当該ソフトウェアセルのセルインターフェースに、当該機能プログラムに関する必要なサブプロセッサの情報及びサンドボックスサイズ（図３を参照のこと）を設定し、上記実行要求されるスレーブ装置に対して送信する。
【０１５８】
機能プログラムの実行を要求されたスレーブ装置は、その機能プログラムを実行するとともに、自装置の装置情報テーブルを更新する。その際、必要であれば、スレーブ装置内の情報処理コントローラに含まれるメインプロセッサ２１は、上記の方法によって自装置の外部記録部２８からメインメモリ２６に機能プログラム及び当該機能プログラムと連携動作するサブプロセッサプログラムをロードする。
【０１５９】
機能プログラムの実行を要求されたスレーブ装置の外部記録部２８に必要な機能プログラム又は当該機能プログラムと連携動作するサブプロセッサプログラムが記録されていない場合には、他の情報処理装置が当該機能プログラム又はサブプロセッサプログラムをその機能プログラム実行要求先スレーブ装置に送信するように、システムを構成すればよい。
【０１６０】
サブプロセッサプログラムについては、前述のロードコマンド及びキックコマンドを利用して他の情報処理装置に実行させることもできる。
【０１６１】
機能プログラムの実行終了後、機能プログラムを実行したスレーブ装置内の情報処理コントローラに含まれるメインプロセッサ２１は、終了通知をマスター装置１内の情報処理コントローラ１１に含まれるメインプロセッサ２１−１に送信するとともに、自装置の装置情報テーブルを更新する。マスター装置１内の情報処理コントローラ１１に含まれるメインプロセッサ２１−１は、その終了通知を受信して、機能プログラムを実行したスレーブ装置の装置情報テーブルを更新する。
【０１６２】
マスター装置１内の情報処理コントローラ１１に含まれるメインプロセッサ２１−１は、自装置及び他装置の装置情報テーブルの参照結果から、当該の機能プログラムを実行することができる情報処理装置として、自身を選択する場合もあり得る。その場合には、マスター装置１が当該の機能プログラムを実行する。
【０１６３】
図７に示した例で、ユーザがスレーブ装置Ａ（情報処理装置２）を操作し、当該操作に応じた機能プログラムを別のスレーブ装置Ｂ（情報処理装置３）が実行する場合の分散処理について、図８を参照しながら説明する。
【０１６４】
図８に示す例では、ユーザがスレーブ装置Ａを操作することにより、スレーブ装置Ａを含むネットワークシステム全体の分散処理が開始し、まず、スレーブ装置Ａは、その操作情報をマスター装置１に送信する（ステップ８１）。
【０１６５】
マスター装置１は、その操作情報を受信し（ステップ７２）、さらに自装置のメインメモリ２６−１に記録されている自装置及び他装置の装置情報テーブルから各情報処理装置の動作状態を調べ、受信した操作情報に応じた機能プログラムを実行することができる情報処理装置を選択する（ステップ７３）。図示の例では、スレーブ装置Ｂが選択される場合を示している。
【０１６６】
次に、マスター装置１は、その選択したスレーブ装置Ｂに対して機能プログラムの実行を要求する（ステップ７４）。
【０１６７】
スレーブ装置Ｂは、その実行要求を受信し（ステップ９５）、さらに、実行要求された機能プログラムを実行する（ステップ９６）。
【０１６８】
以上のように、ユーザは、１台の情報処理装置のみを操作することによって、他の情報処理装置を操作することなく、複数の情報処理装置１、２、３、４を仮想的な１台の情報処理装置７として動作させることができる。
【０１６９】
Ａ−１１．各情報処理装置及びシステムの具体例
ネットワーク９を介して互いに接続される情報処理装置１、２、３、４は、上記のような情報処理コントローラ１１、１２、１３、１４によって情報処理を行なうものであれば、基本的にはどのような構成でもよい。図９には、情報処理装置の一構成例を示している。
【０１７０】
情報処理コントローラ１１を備える情報処理装置１の一例は、ハードディスクレコーダである。図１０並びに図１１には、同図中のハードディスクレコーダのハードウェア構成及びソフトウェア構成をそれぞれ示している。ハードディスクレコーダのハードウェア構成としては、図１に示した外部記録部２８−１としてハードディスクを内蔵し、図１に示した外部記録部２８−２としてＤＶＤ±Ｒ／ＲＷ、ＣＤ±Ｒ／ＲＷ、Ｂｌｕｒａｙ−Ｄｉｓｃ（登録商標）などの光ディスクを装着できるように構成されるとともに、情報処理コントローラ１１のバス２９−１に接続されたバス３１−１に、放送受信部３２−１、映像入力部３３−１、音声入力部３４−１、映像出力部３５−１、音声出力部３６−１、操作パネル部３７−１、リモコン受光部３８−１及びネットワーク接続部３９−１が接続されている。
【０１７１】
放送受信部３２−１、映像入力部３３−１及び音声入力部３４−１は、放送信号を受信し、又は情報処理装置１の外部から映像信号及び音声信号を入力し、それぞれ所定フォーマットのデジタルデータに変換し、情報処理コントローラ１１での処理のためにバス３１−１に送出する。映像出力部３５−１及び音声出力部３６−１は、情報処理コントローラ１１からバス３１−１に送出された映像データ及び音声データを処理して、デジタルデータのまま、又はアナログ信号に変換して、情報処理装置１の外部に送出するものであり、リモコン受光部３８−１は、リモコン送信器４３−１からのリモコン（遠隔操作）赤外線信号を受信する。
【０１７２】
図９及び図１０に示すように、情報処理装置（ハードディスクレコーダ）１の映像出力部３５−１及び音声出力部３６−１には、モニタ表示装置４１及びスピーカ装置４２が接続される。
【０１７３】
図９に例示した情報処理コントローラ１２を備える情報処理装置２も、ハードディスクレコーダで、図１０において括弧内に参照番号を付して示すように、情報処理装置１と同様に構成される。但し、図９に示すように、情報処理装置（ハードディスクレコーダ）２には、モニタ表示装置及びスピーカ装置は接続されない。
【０１７４】
情報処理装置（ハードディスクレコーダ）１及び２、すなわち情報処理コントローラ１１及び１２のソフトウェア構成としては、図１１に示すように、制御プログラムとして、ＭＳマネージャ及び能力交換プログラムを備え、機能プログラムとして、映像音声記録、映像音声再生、素材検索及び番組録画予約のためのプログラムを備え、デバイスドライバとして、放送受信、映像出力、音声出力、外部記録部入出力及びネットワーク入出力のためのプログラムを備える。
【０１７５】
また、情報処理コントローラ１３を備える情報処理装置３の他の例は、ＰＤＡ（Ｐｅｒｓｏｎａｌ  Ｄｉｇｉｔａｌ  Ａｓｓｉｓｔａｎｔｓ）である。図１２には、ＰＤＡとして構成される情報処理装置３のハードウェア構成を示している。同図に示す例では、図１に示した外部記録部２８−５として、メモリカードディスクを装着できるように構成され、情報処理コントローラ１３のバス２９−３に接続されたバス５１に、液晶表示部５２、音声出力部５３、カメラ部５４、音声入力部５５、キーボード部５６及びネットワーク接続部５７が接続されている。
【０１７６】
なお、図１では内部を省略した情報処理コントローラ１３は、メインプロセッサ２１−３、サブプロセッサ２３−７、２３−８、２３−９、ＤＭＡＣ（ダイレクトメモリアクセスコントローラ）２５−３、ＤＣ（ディスクコントローラ）２７−３及びバス２９−３を備え、そのメインプロセッサ２１−３は、ＬＳ（ローカル・ストレージ）２２−３を有し、各サブプロセッサ２３−７、２３−８、２３−９は、ＬＳ（ローカル・ストレージ）２４−７、２４−８、２４−９を備えている。
【０１７７】
また、図１３には、情報処理装置（ＰＤＡ）３、すなわち情報処理コントローラ１３のソフトウェア構成を示している。同図に示すように、制御プログラムとして、ＭＳマネージャ及び能力交換プログラムを備え、機能プログラムとして、映像音声記録、映像音声再生、電話帳、ワープロ及び表計算のためのプログラム、及びＷｅｂブラウザを備え、デバイスドライバとして、映像出力、音声出力、カメラ映像入力、マイク音声入力及びネットワーク入出力のためのプログラムを備えている。
【０１７８】
また、情報処理コントローラ１４を備える情報処理装置４は、ポータブルＣＤプレーヤである。図１４には、ポータブルＣＤプレーヤのハードウェア構成を示している。図示の例では、ポータブルＣＤプレーヤは、図１に示した外部記録部２８−６として、ＣＤ（Ｃｏｍｐａｃｔ  Ｄｉｓｃ）を装着できるように構成され、情報処理コントローラ１４のバス２９−４に接続されたバス６１に、液晶表示部６２、音声出力部６３、操作ボタン部６４及びネットワーク接続部６５が接続されている。
【０１７９】
なお、図１では内部を省略した情報処理コントローラ１４は、メインプロセッサ２１−４、サブプロセッサ２３−１０、２３−１１、２３−１２、ＤＭＡＣ２５−４、ＤＣ２７−４及びバス２９−４を備え、そのメインプロセッサ２１−４は、ＬＳ２２−４を有し、各サブプロセッサ２３−１０、２３−１１、２３−１２は、ＬＳ２４−１０、２４−１１、２４−１２を有する。
【０１８０】
図１５には、情報処理装置（ポータブルＣＤプレーヤ）４、すなわち情報処理コントローラ１４のソフトウェア構成を示している。図示のように、制御プログラムとして、ＭＳマネージャ及び能力交換プログラムを備え、機能プログラムとして、音楽再生のためのプログラムを備え、デバイスドライバとして、音声出力、ＣＤ制御及びネットワーク入出力のためのプログラムを備える。
【０１８１】
図９に例示したネットワークシステムでは、情報処理装置１、３及び４がネットワーク９上に接続されており、情報処理装置１がマスター装置（ＭＳステータス＝０）として、情報処理装置３及び４がスレーブ装置（ＭＳステータス＝１）として、設定されているものとする。
【０１８２】
この状態で、新たに情報処理装置２がネットワーク９に接続されると、上述した方法によって、情報処理装置２内の情報処理コントローラ１２に含まれるメインプロセッサ２１−２で実行されているＭＳマネージャは、他の情報処理装置１、３及び４にＭＳステータスを照会して、情報処理装置１が既にマスター装置として存在することを認識し、自装置（情報処理装置２）をスレーブ装置（ＭＳステータス＝１）に設定する。また、マスター装置に設定されている情報処理装置１は、新たに追加された情報処理装置２を含む各装置の装置情報を収集して、メインメモリ２６−１内の装置情報テーブルを更新する。
【０１８３】
このような状態で、ユーザによってスレーブ装置である情報処理装置（ＰＤＡ）３で２時間の放送番組を録画予約するための操作が行なわれた場合について、以下に説明する。
【０１８４】
この場合、スレーブ装置である情報処理装置（ＰＤＡ）３は、ユーザから録画開始時刻、録画終了時刻、録画対象放送チャネル、録画品質などの情報を含む録画予約情報の入力を受け付け、当該録画予約情報及びＤＭＡコマンドとしての録画予約コマンドを含むソフトウェアセルを生成して、マスター装置である情報処理装置１に送信する。
【０１８５】
ＤＭＡコマンドが録画予約コマンドであるソフトウェアセルを受信した情報処理装置１内の情報処理コントローラ１１に含まれるメインプロセッサ２１−１は、録画予約コマンドを読み出すとともに、メインメモリ２６−１内の装置情報テーブルを参照し、当該録画予約コマンドを実行可能な情報処理装置を特定する。
【０１８６】
まず、メインプロセッサ２１−１は、装置情報テーブルに含まれる各情報処理装置１、２、３、４の情報処理装置種別ＩＤを読み出して、録画予約コマンドに対応する機能プログラムを実行可能な情報処理装置を抽出する。ここでは、録画機能を示す情報処理装置種別ＩＤを有する情報処理装置１、２が候補装置として特定され、情報処理装置３、４は候補装置から除外される。
【０１８７】
次に、マスター装置である情報処理装置１内の情報処理コントローラ１１に含まれるメインプロセッサ２１−１は、装置情報テーブルを参照して、情報処理装置１、２のメインプロセッサ又はサブプロセッサの処理能力、メインメモリに関する情報などの装置に関する情報を読み出し、情報処理装置１、２が録画予約コマンドに対応する機能プログラムの実行に必要な要求スペックを満足するか否かを判断する。ここでは、情報処理装置１、２とも、録画予約コマンドに対応する機能プログラムの実行に必要な要求スペックを満足するものとする。
【０１８８】
さらに、メインプロセッサ２１−１は、装置情報テーブルを参照して、情報処理装置１、２の外部記録部に関する情報を読み出し、外部記録部の空き容量が当該録画予約コマンドの実行に必要な容量を満足するか否かを判断する。情報処理装置１、２はハードディスクレコーダであるので、それぞれハードディスク２８−１、２８−３の、総容量と使用量との差分が、それぞれの空き容量に相当する。
【０１８９】
この場合、情報処理装置１のハードディスク２８−１の空き容量が、録画時間に換算して１０分であり、情報処理装置２のハードディスク２８−３の空き容量が、録画時間に換算して２０時間であるとする。
【０１９０】
このとき、マスター装置である情報処理装置１内の情報処理コントローラ１１に含まれるメインプロセッサ２１−１は、当該録画予約コマンドの実行に必要な２時間分の空き容量を確保できる情報処理装置を、実行要求先スレーブ装置として特定する。
【０１９１】
その結果、情報処理装置２のみが実行要求先スレーブ装置として選択され、マスター装置である情報処理装置１内の情報処理コントローラ１１に含まれるメインプロセッサ２１−１は、ユーザにより操作された情報処理装置３から送信された録画予約情報を含む当該録画予約コマンドを情報処理装置２に送信して、上記２時間の放送番組の録画予約の実行を要求する。
【０１９２】
そして、情報処理装置２内の情報処理コントローラ１２に含まれるメインプロセッサ２１−２は、当該録画予約コマンドを解析して、録画に必要な機能プログラムを外部記録部であるハードディスク２８−３からメインメモリ２６−２にロードし、録画予約情報に従って録画を実行する。その結果、録画予約された２時間の放送番組の映像音声データが情報処理装置２のハードディスク２８−３に記録される。
【０１９３】
このように、図９の例のネットワークシステムにおいても、ユーザは、１台の情報処理装置のみを操作することによって、他の情報処理装置を操作することなく、複数の情報処理装置１、２、３、４を仮想的な１台の情報処理装置７として動作させることができる。
【０１９４】
Ｂ．同じ情報処理装置内の他ユニットにより一部のサブプロセッサの利用
上述したように、グリッドコンピューティングシステムでは、ネットワーク接続された複数の情報処理装置が協調動作により分散処理を行なうことで、仮想的に１台の機器として動作する。システムを構成する個々の情報処理装置は、情報処理コントローラを備える。情報処理コントローラには、自己のローカル・メモリ上に展開されたサブプロセッサプログラムを実行可能な１以上のサブプロセッサと、サブプロセッサにサブプロセッサプログラムの実行を命令するメインプロセッサが装備されている。
【０１９５】
ネットワーク接続された個々の情報処理装置は、割り当てられた用途毎に必要となる性能は異なるが、それに応じてサブプロセッサ数の異なる情報処理コントローラを製作するのはコストが高く、難しい。また、ネットワーク上の各情報処理装置に振り分けられた処理負荷は均一ではなく、装置内の情報処理コントローラが必要とするサブプロセッサ数が不均一である。このため、予定された処理を実現するためにサブプロセッサ数が不足する情報処理コントローラ、又はすべてのサブプロセッサを利用しない、すなわち余剰のサブプロセッサを利用しない情報処理コントローラが、情報処理装置内に存在することになりかねない。
【０１９６】
それぞれの情報処理コントローラ内では、メインプロセッサは各サブプロセッサが持つ余剰処理能力などの資源管理を行ない、複数の機能を同時並行して実行することができるが、必ずしもすべてのサブプロセッサを用いる必要はない。情報処理コントローラは、一部のサブプロセッサを他の目的で使用することができ、例えば同じ情報処理装置内の他の情報処理ユニットに余剰のサブプロセッサの利用を許可することができる。
【０１９７】
そこで、本発明の第２の実施形態では、ネットワークシステムを構成する個々の情報処理装置において、装置内の情報処理コントローラは一部のサブプロセッサを同じ情報処理装置内の他の情報処理ユニットに補助プロセッサとして利用させるようにした。
【０１９８】
余剰のサブプロセッサを持つ情報処理コントローラが、当該余剰のサブプロセッサを同じ情報処理装置内の他の情報処理ユニットが簡単な手続きで利用できるようにすることにより、資源の有効利用とシステム全体の性能の向上につながる。
【０１９９】
図１６には、本発明の第２の実施形態に係る情報処理装置の構成を示している。図示の装置は、メインプロセッサ及び１以上のサブプロセッサが装備されている情報処理コントローラ１１１と、情報処理ユニット１７０を備える。情報処理コントローラ１１１と情報処理ユニット１７０はそれぞれ、好適には単一の集積回路として構成されることが望ましい。また、情報処理コントローラ１１１と情報処理ユニット１７０は、外部バス１６７及びバスブリッジ１６８を介して接続されている。バスブリッジ１６８は保護機構１６９を有する。保護機構１６９の目的は、情報処理ユニット１７０などの他ユニットから情報処理コントローラ１１１へのアクセス要求について許可／禁止を決定し、情報処理コントローラ１１１内のサブプロセッサ又はローカルストレージの保護を行なうことである。
【０２００】
後述するように、情報処理コントローラ１１１は、情報処理ユニット１７０に一部のサブプロセッサを貸し出し、情報処理ユニット１７０が情報処理コントローラ１１１内のサブプロセッサでサブプロセッサプログラムを実行するようになっている。ここで言うサブプロセッサの貸し出しは、常態的な貸し出しと一時的な貸し出しの双方を含むものとする。
【０２０１】
まずは、常態的な貸し出しについて説明する。常態的な貸し出しとはすなわち、情報処理装置１０１内における情報処理コントローラ１１１が、情報処理ユニット１７０に対して貸し出すサブプロセッサが装置設計段階から既に決まっている場合である。その結果、情報処理ユニット１７０が情報処理コントローラ１１１に対して、決められた手順でアクセス要求しさえすれば、許可されることが確定していることになる。常態的な貸し出しを、静的な貸し出しと言ってもよい。
【０２０２】
情報処理コントローラ１１１は、メインプロセッサ１２１−１、メインメモリ１２６−１にアクセスするためのＤＭＡＣ（ダイレクトメモリアクセスコントローラ）１２５−１、外部記録部１２８−１、１２８−２にアクセスするためのＤＣ（ディスクコントローラ）１２７−１、複数のサブプロセッサ１２３−１、１２３−２、１２３−３、外部バスＩＦ（インターフェース）１６６を備えている。
【０２０３】
メインプロセッサ１２１−１は、サブプロセッサ１２３−１〜３によるサブプロセッサプログラム又はデータの処理のスケジュール管理と情報処理コントローラ１１１内の全般的管理とを行なう。また、サブプロセッサ１２３−１〜３は、メインプロセッサ１２１−１の制御によって並列的且つ独立にサブプロセッサプログラム又はデータの処理を実行する。
【０２０４】
メインプロセッサ１２１−１、及び各サブプロセッサ１２３−１〜３は、それぞれ専用のＬＳ（ローカルストレージ）１２２−１、１２４−１〜３を有しており、ＬＳ上に展開された処理プログラムを実行することができる。但し、サブプロセッサ１２３−１〜３は、メインプロセッサ１２１−１からの起動命令、停止命令、割り込み命令のみによって、処理プログラムの実行開始、停止、割り込みを行なうことができる。
【０２０５】
ＤＭＡＣ１２５−１は、ＤＲＡＭなどで構成される情報処理装置１０１内のメインメモリ１２６−１に格納されているプログラム又はデータに対する、メインプロセッサ１２１−１の介在しないアクセス動作を行なう専用コントローラである。また、ＤＣ１２７−１は、情報処理コントローラ１１１に接続された外部記録部１２８−１、１２８−２へのアクセス動作を制御する。
【０２０６】
外部バスＩＦ１６６は、バスブリッジ１６８を介して情報処理コントローラ１１１と接続されている情報処理ユニット１７０へのアクセスを行ない、また情報処理ユニット１７０からのアクセスを受け付ける。
【０２０７】
メインプロセッサ１２１−１、ＤＭＡＣ１２５−１、ＤＣ１２７−１、サブプロセッサ１２３−１〜３、外部バスＩＦ１６６は、情報処理コントローラ１１１の内部バス１２９−１によって相互接続されている。
【０２０８】
情報処理ユニット１７０は外部バスＩＦ１６６、外部バス１６７、バスブリッジ１６８及び外部バスＩＦ１７４を介して情報処理コントローラ１１１に接続され、情報処理コントローラ１１１の外部ユニットとして動作する。情報処理ユニット１７０は、情報処理コントローラ１１１と同一のマルチプロセッサ構成でもよいが、これに限定されず、マルチプロセッサ構成である必要はない。図１６では、図面の簡素化のため、プロセッサ１７１と、メインメモリ１７２と、ＤＭＡＣ１７３と、情報処理コントローラ１１１と接続するための外部バスＩＦ１７４を備えている。本実施形態では、情報処理ユニット１７０は、割り当てられた用途に必要な性能に対し、プロセッサ処理能力が不足しているものとする。
【０２０９】
情報処理コントローラ１１１と情報処理ユニット１７０とは、好適には外部バス１６７及びバスブリッジ１６８を介して接続されるが、バスブリッジ１６８を介さないで直接接続されていても良い。情報処理コントローラ１１１内の外部バスＩＦ１６６のバスプロトコルと、情報処理ユニット１７０内の外部バスＩＦ１７４のバスプロトコルは同じでも異なっていてもよい。バスブリッジ１６８は、バスプロトコルの相違を吸収し、バス間のインターフェースを実現する。
【０２１０】
本実施形態では、外部バスＩＦ１６６経由で、情報処理コントローラ１１１内の一部のサブプロセッサが情報処理ユニット１７０に貸し出される。貸し出されたサブプロセッサのローカルストレージには、情報処理ユニット１７０側のサブプロセッサプログラムがロードされ、サブプロセッサがこのサブプロセッサプログラムを実行するという形態で、他ユニットによるサブプロセッサの利用が実現する。
【０２１１】
このように、外部バスＩＦ１６６経由で、サブプロセッサのローカルストレージが情報処理ユニット１７０等の他ユニットに利用されることから、利用が許可されていないサブプロセッサのローカルストレージを、他ユニットによるアクセスから保護する必要がある。また、他ユニットに対して利用が許可されているサブプロセッサのローカルストレージを、情報処理コントローラ１１１内部からのアクセスから保護しなければならない。
【０２１２】
バスブリッジ１６８は、情報処理ユニット１７０による外部バス１６７を介したアクセスからローカルストレージを保護するために、保護機構１６９を備えている。本実施形態では、保護機構１６９はアドレス変換テーブルを利用する。
【０２１３】
アドレス変換テーブルは、好適にはメインメモリ１２６−１に配置され、以下の表１に示すように、情報処理コントローラ１１１内の各ローカルストレージが、エントリとして分割管理される。このテーブルの各エントリは、仮想エントリアドレスを物理エントリアドレスに変換するための両者の対応情報と、該当エントリの有効無効を示す情報（ｖａｌｉｄ ｂｉｔ）、及び該当エントリの属性情報などを含んでいる。物理エントリアドレスとは当該エントリの開始アドレスを示す固有情報であり、仮想エントリアドレスとは他ユニットが当該エントリにアクセスする際に用いられる仮情報である。アドレス変換テーブルは仮想／物理エントリアドレスの他に仮想／物理エントリサイズ、仮想／物理エントリ終了アドレスを含んでいてもよい。アドレス変換テーブルの一部が保護機構１６９の内部にあってもよい。常態的な、すなわち静的な貸し出しの場合には、物理エントリアドレスと仮想エントリアドレスの対応は基本的には、情報処理装置１０１の設計段階から既に決まっている。属性情報には読み書き可能、書き込み禁止、読み書き禁止などがある。
【０２１４】
情報処理ユニット１７０が情報処理コントローラ１１１に対してアクセス要求する場合には、物理エントリアドレスではなく仮想エントリアドレスを用いて行なう。当該アクセス要求は、仮想エントリサイズ、仮想エントリ終了アドレスを伴っていてもよい。物理エントリアドレスから仮想エントリアドレスへの変換は、保護機構１６９によって行なわれる。すなわち、情報処理ユニット１７０は、仮想エントリアドレスのみを把握していることになり、情報処理コントローラ１１１は物理エントリアドレスを他ユニットへ公開する必要がなく、情報処理コントローラ１１１自体の安全性、機密性を高くすることができる。
【０２１５】
【表１】
2005339401.tif 000003
【０２１６】
情報処理ユニット１７０からある仮想エントリアドレスへのアクセス要求が行なわれた場合、保護機構１６９は、アドレス変換テーブルを参照し、仮想エントリアドレスのｖａｌｉｄ ｂｉｔを参照してエントリが有効であるか確認する。この際、仮想エントリサイズ、仮想エントリ終了アドレスの確認を行なうようにしてもよい。エントリが無効であれば、アドレス変換エラーが情報処理ユニット１７０に通知され、アクセスは拒否される。一方、エントリが有効であれば、エントリに含まれる属性情報が確認される。また、属性情報が書き込み禁止を示していれば書き込みアクセスを、読み出し禁止を示していれば読み出しアクセスを、読み書き禁止を示していれば読み書きアクセスを拒否する。
【０２１７】
アドレス変換テーブルなどの保護に関する情報はメインプロセッサ１２１−１で実行される資源管理プログラムによって設定される。
【０２１８】
情報処理コントローラ１１１のメインプロセッサ１２１−１で実行される資源管理プログラムは、１つ以上のサブプロセッサと、当該サブプロセッサ内のローカルストレージ（ＬＳ）を情報処理ユニット１７０が利用するために割り当てる機能を持つ。資源管理プログラムは、メインメモリ１２６−１上に資源管理テーブルを持ち、どのサブプロセッサが利用可能であるかという情報を保持する。
【０２１９】
資源管理テーブルは、例えば表２に示すように、情報処理コントローラ１１１内のサブプロセッサ毎のエントリを用意し、各エントリは、サブプロセッサＩＤと、関連付けられたサブプロセッサの利用可否情報を持つ。そして、情報処理ユニット１７０が利用するために割り当てられた（すなわち他ユニットに貸し出された）サブプロセッサは利用不可に設定される。
【０２２０】
【表２】
2005339401.tif 000004
【０２２１】
メインプロセッサ１２１−１内のプログラム又は他ユニットは、情報処理コントローラ１１１内のサブプロセッサでサブプロセッサプログラムを実行する場合には、まずサブプロセッサを選択する必要がある。そのために、メインプロセッサ１２１−１で実行される資源管理プログラムに対して、サブプロセッサ選択要求を送信する。資源管理プログラムは、サブプロセッサ選択要求を受信すると、資源管理テーブルを参照し、選択要求されたサブプロセッサが利用不可である場合には、利用を拒否する旨を返信する。また利用を許可した場合、利用が終了した場合に応じて当該資源管理テーブルを更新する。前述の通り常態的な、すなわち静的な貸し出しの場合には、情報処理ユニット１７０が情報処理コントローラ１１１に対して、決められた手順の中の１つとしてサブプロセッサ選択要求を送信すれば、アクセス許可されることになる。また、資源管理プログラムは、前述のアドレス変換テーブルも管理し、当該アドレス変換テーブルの各エントリを適切に設定する。これにより、メインプロセッサ１２１−１内のプログラムや、他ユニット等の複数のアクセス要求元が、同じ仮想エントリアドレスへのアクセス要求を行った場合でも適切にアクセス許可／拒否を返信し、且つエントリ利用状況に応じて当該アドレス変換テーブルを更新することにより、各エントリの排他性を実現し、アクセスの衝突を回避する。資源管理テーブルは、好適には起動時にあらかじめ与えられている情報によって設定されるが、ユーザの操作によって書き換えられてもよい。
【０２２２】
マルチプロセッサチップとしての情報処理コントローラ１１１は、外部ＩＦ１６６経由で、一部のサブプロセッサを情報処理ユニット１７０に貸し出す。情報処理ユニット１７０は、例えば画像処理チップなどであり、所望の画像処理の性能を実現するためにプロセッサ能力が不足するため、情報処理コントローラ１１１から貸し出されたサブプロセッサを利用する。
【０２２３】
図１７には、図１６に示した情報処理装置１０１において、情報処理コントローラ１１１の一部のサブプロセッサ１２３−３が情報処理ユニット１７０に貸し出されている様子を図解している。図示の例では、貸し出したサブプロセッサ１２３−３以外の資源を利用して、オペレーティングシステム、ＧＵＩ処理、ゲームアプリケーションの実行など、通常の情報処理コントローラ１１１の動作を実行する。一方、情報処理ユニット１７０は、当該ユニット自体の資源に加え、情報処理コントローラ１１１から貸し出されたサブプロセッサ１２３−３を利用して、画像処理を実行する。
【０２２４】
情報処理ユニット１７０は、貸し出されたサブプロセッサで自由にサブプロセッサプログラムを実行することができる。すなわち、貸し出されたサブプロセッサのローカルストレージには、情報処理ユニット１７０側のサブプロセッサプログラムがロードされ、サブプロセッサがこのサブプロセッサプログラムを実行する。情報処理コントローラ１１１側では、貸し出されたサブプロセッサを利用しない。
【０２２５】
情報処理コントローラ１１１によってサブプロセッサが貸し出されると、情報処理ユニット１７０は、そのローカルストレージへのアクセスが許可される。アクセスが許可されたローカルストレージは、例えば図１８に示すように、情報処理ユニット１７０のアドレス空間上にマッピングされ、情報処理ユニット１７０のプロセッサ１７１やＤＭＡＣ１７３によって書き込み、読出しが可能である。情報処理ユニット１７０は、実行させたいサブプロセッサプログラムとそれに関連付けられたデータを、利用するサブプロセッサのローカルストレージに書き込む。
【０２２６】
情報処理ユニット１７０は、貸し出されたサブプロセッサのローカルストレージに自由に書き込み並びに読み出しを行なうことができる。図１９には、図１６に示した情報処理装置１０１において、情報処理ユニット１７０が、アクセスが許可されたローカルストレージへアクセスする様子を図解している。但し、バスブリッジ１６８内の保護機構１６９は、情報処理ユニット１７０からのアクセスに対しメモリ保護を行ない、貸し出されたローカルストレージ以外へのアクセスを禁止する。
【０２２７】
サブプロセッサ１２３−１〜３によるサブプロセッサプログラム実行の開始と停止は、メインプロセッサ１２１−１からの指示をトリガとして行なわれる。言い換えれば、サブプロセッサ１２３−１〜３にサブプロセッサプログラム実行を開始させることができるのはメインプロセッサ１２１−１のみであり、情報処理ユニット１７０は利用するサブプロセッサを直接起動することはできない。
【０２２８】
そこで、情報処理ユニット１７０は、外部バスの割込み信号や、通知用に書き込みが許可された特定のレジスタあるいはメモリ領域に特定の値を書き込んでメインプロセッサ１２１−１に通知するという形態で、メインプロセッサ１２１−１に対し、サブプロセッサによるサブプロセッサプログラムの実行の開始あるいは停止を依頼する。そして、メインプロセッサ１２１−１は、実行開始あるいは停止の通知に応じて、サブプロセッサのサブプロセッサプログラム実行開始あるいは停止を指示する。このようにメインプロセッサ１２１−１が必ず、情報処理コントローラ１１１内の貸し出されたもの含めてすべてのサブプロセッサを制御することにより、情報処理コントローラ１１１全体の動作を常に確実にすることができる。ここで情報処理ユニット１７０が、情報処理コントローラ１１１内のサブプロセッサを利用する際には、前述の仮想エントリアドレス、仮想エントリサイズまたは仮想エントリ終了アドレスを利用することになる。
【０２２９】
図２０には、図１６に示した情報処理装置１０１において情報処理ユニット１７０が、貸し出されたサブプロセッサによるサブプロセッサプログラムの実行を行なう様子を図解している。情報処理ユニット１７０は、割り込みなどの通知手段により、メインプロセッサ１２１−１に実行開始を依頼する。そして、メインプロセッサ１２１−１は、この依頼を受け、サブプロセッサに実行開始を指示する。
【０２３０】
サブプロセッサによるサブプロセッサプログラムの実行が終了すると、サブプロセッサは割り込みによって、外部バスＩＦ１６６経由で、情報処理ユニット１７０に実行終了を通知する。
【０２３１】
図２１には、図１６に示した情報処理装置１０１において、サブプロセッサ１２３−３から発生した割り込みを、このサブプロセッサを利用する情報処理ユニット１７０に転送する様子を図解している。サブプロセッサ１２３−３は、自身においてサブプロセッサプログラムの実行が終了したことを情報処理ユニット１７０に通知する。
【０２３２】
このようにして、ネットワークシステムを構成する個々の情報処理装置において、装置内の情報処理コントローラは一部のサブプロセッサを同じ情報処理装置内の他ユニットに補助プロセッサとして利用させるメカニズムを実現することができる。
【０２３３】
上述したメカニズムによれば、簡易な手続きでサブプロセッサの利用が行なわれる。サブプロセッサを静的に貸し出ししてしまうので、メインプロセッサ１２１−１のスケジューリング負荷が軽くて済む。
【０２３４】
また、サブプロセッサのローカルストレージがこれを利用する他ユニットのバスアドレス空間にマッピングされるので、他ユニットのプログラミングが容易である。すなわち、サブプロセッサプログラムやデータの転送を簡単に行なうことができるとともに、ローカルストレージをポーリングすることもできるので、プログラミングの自由度が高い。
【０２３５】
また、図１６に示した情報処理装置１０１では、サブプロセッサを利用する他ユニットにはネットワークインターフェースが不要であり、ＴＣＰ／ＩＰなどの重いプロトコル処理が不要である。したがって、ネットワーク経由でサブプロセッサの貸し出しを行なう場合に比べ、遅延が小さい。すなわち、短時間でプログラムを転送し、結果を得ることができるので、使い勝手がよく、またオーバーヘッドが少ない分だけ性能も向上する。さらに、情報処理ユニット１７０が、情報処理コントローラ１１１内のサブプロセッサを利用する際には仮想エントリアドレス、仮想エントリサイズまたは仮想エントリ終了アドレスのみを把握・利用することにより、情報処理コントローラ１１１は物理エントリアドレス、物理エントリサイズ又は物理エントリ終了アドレスを他ユニットへ公開する必要がなく、情報処理コントローラ１１１自体の安全性、機密性を高くすることができる。また、仮想エントリアドレスと物理エントリアドレスの対応、仮想エントリサイズと物理エントリサイズの対応、仮想エントリ終了アドレスと物理エントリ終了アドレスの対応は装置設計段階から決定されているため、装置起動後に上記対応関係を確立するための通信プロトコルが不要であるという効果もある。以上が常態的な貸し出し手順についての記載である。
【０２３６】
以下では、一時的な貸し出し手順について説明する。一時的な貸し出しとは、情報処理装置１０１内における情報処理コントローラ１１１が、情報処理ユニット１７０に対して貸し出すサブプロセッサが装置設計段階では決まっておらず、装置全体の処理状況に応じて動的に決定する場合である。一時的な貸し出しとは、動的な貸し出しと言ってもよい。そうなると当然、情報処理ユニット１７０が情報処理コントローラ１１１に対してアクセス要求しても、許可されない場合も大いにありえる。
【０２３７】
図２２には、サブプロセッサの貸し出しを要求する情報処理ユニット１７０の処理動作をフローチャートの形式で示している。この処理動作は、情報処理ユニット１７０内のプロセッサ１７１が所定のプログラムを実行するという形態で実現される。
【０２３８】
まず、余剰のサブプロセッサを持つ可能性のある情報処理コントローラ１１１に対し、外部バス１６７経由でサブプロセッサ貸し出し要求を伝えるとともに、ローカルストレージをＩ／Ｏ空間のどこに割り当ててほしいかも伝える（ステップＳ１）。
【０２３９】
このサブプロセッサ貸し出し要求コマンドは、パケットで送信してもよいし、情報処理コントローラ１１１との通信用のメモリ領域にコマンドを書き込んで、割り込みで通知するようにしてもよい。
【０２４０】
続いて、要求先となる情報処理コントローラ１１１から貸し出し要求に対する応答を受け取る（ステップＳ２）。
【０２４１】
この応答は、情報処理コントローラ１１１からの割り込みで通知されてもよいし、情報処理ユニット１７０が情報処理コントローラ１１１側の特定のアドレスをポーリングして検知するようにしてもよい。
【０２４２】
そして、この応答に基づいて、情報処理コントローラ１１１からサブプロセッサ貸し出し要求が認められたかどうかを判別する（ステップＳ３）。
【０２４３】
サブプロセッサ貸し出し要求が認められた場合には、貸し出し要求コマンドで指定したＩ／Ｏアドレスを、情報処理ユニット１７０内のアドレス空間にマッピングする（ステップＳ４）。図２３及び図２４には、ローカルストレージが貸し出される前後の情報処理ユニット１７０内のアドレス空間の様子をそれぞれ示している。
【０２４４】
ここで、Ｉ／Ｏアドレスは、情報処理ユニット１７０の物理アドレスと同じでもよい。この場合、マッピングとは単にソフトウェアが物理アドレスを使用するようになることを指してもよい。あるいは、アドレス変換テーブルを書き換えて、該当する物理アドレスを仮想アドレス空間にマッピングし、ソフトウェアが使用できるようにしてもよい。Ｉ／Ｏアドレスと情報処理ユニット１７０の物理アドレスを相互に変換する機構がある場合は、その機構を適切に設定し、情報処理ユニット１７０が貸し出されたローカルストレージのＩ／Ｏアドレスをアクセスできるようにする。
【０２４５】
一方、サブプロセッサ貸し出し要求が拒否された場合には、所定のエラー処理を行なってから（ステップＳ５）、本処理ルーチン全体を終了する。
【０２４６】
また、図２５には、サブプロセッサの貸し出しを要求された情報処理コントローラ１１１における処理動作をフローチャートの形式で示している。この処理動作は、情報処理コントローラ１１１内のメインプロセッサ１２１−１が所定のプログラムを実行するという形態で実現される。
【０２４７】
情報処理ユニット１７０からサブプロセッサ貸し出し要求を受け取ると（ステップＳ１１）、資源管理テーブルを参照し、予約されていないサブプロセッサがあるか否かを調査する（ステップＳ１２）。
【０２４８】
そして、予約されていないサブプロセッサが存在する場合には、その中から１つを貸し出すサブプロセッサとして選択する（ステップＳ１３）。例えば、以下の表３に示すような資源管理テーブルの場合、ＩＤが０〜２の３つのサブプロセッサのうちＩＤ２のサブプロセッサが未使用となっているので、貸し出すサブプロセッサとして選択される。
【０２４９】
【表３】
2005339401.tif 000005
【０２５０】
そして、資源管理テーブルを表４のように書き換え、選択したサブプロセッサを他ユニットすなわち情報処理ユニット１７０用に予約する（ステップＳ１４）。
【０２５１】
【表４】
2005339401.tif 000006
【０２５２】
そして、選択したサブプロセッサのローカルストレージに情報処理ユニット１７０がアクセスできるようにＩ／Ｏページテーブルを書き換える（ステップＳ１５）。ローカルストレージに割り当てるＩ／Ｏアドレスは、貸し出し要求コマンドで情報処理ユニット１７０が指定したものとする。
【０２５３】
そして、必要であれば、情報処理コントローラ１１１上のプログラムが選択したサブプロセッサのローカルストレージにアクセスできなくなるように、内部のアドレス変換に使用される主ページテーブルを書き換える（ステップＳ１６）。
【０２５４】
一方、すべてのサブプロセッサがすべて予約されている場合には（ステップＳ１２）、要求元である情報処理ユニット１７０に拒否を通知する（ステップＳ１７）。
【０２５５】
例えば、情報処理コントローラ１１１が図１６に示したように３つのサブプロセッサ１２３−１〜３を備えている場合には、これらのローカルストレージは図２６に示すように物理アドレス空間にマッピングされている。そして、いずれのサブプロセッサも外部に貸し出されていない段階では、これらのローカルストレージは図２７に示すように仮想アドレス空間にそれぞれマッピングされている。その後、サブプロセッサ１２３−３が情報処理ユニット１７０に貸し出されると、図２８に示すように、そのローカルストレージは情報処理コントローラ１１１の仮想アドレス空間から外され、情報処理ユニット１７０のアドレス空間にマッピングされる（図２４を参照のこと）。情報処理コントローラ１１１では、仮想アドレス空間から消失したサブプロセッサ１２３−３のローカルストレージにはアクセスできなくなる。
【０２５６】
図２９には、図１６に示した情報処理装置１０１において、情報処理ユニット１７０が情報処理コントローラ１１１のサブプロセッサ１２３−３にサブプロセッサプログラムを実行させるための動作シーケンスを示している。
【０２５７】
情報処理ユニット１７０は、サブプロセッサ１２３−３のローカルストレージ１２４−３に実行させたいサブプロセッサプログラムとプログラムに関連付けられたデータを書き込む（Ｓ２１）。
【０２５８】
サブプロセッサプログラムの書き込み完了後、情報処理ユニット１７０は、情報処理コントローラ１１１のメインプロセッサ１２１−１に対し、サブプロセッサプログラムの実行を依頼する（Ｓ２２）。
【０２５９】
依頼を受けたメインプロセッサ１２１−１は、サブプロセッサ１２３−３にプログラム実行を指示する（Ｓ２３）。
【０２６０】
実行を指示されたサブプロセッサ１２３−３は、サブプロセッサプログラムを実行する。
【０２６１】
実行が終了すると、情報処理ユニット１７０に対し依頼されたサブプロセッサプログラムの実行終了通知を送る（Ｓ２５）。以上が一時的な、すなわち動的な貸し出し手順についての記載である。一時的な、すなわち動的な貸し出しの場合には、サブプロセッサの利用許可／拒否を、装置全体の処理状況に応じて臨機応変に決定できるという効果がある。
【産業上の利用可能性】
【０２６２】
以上、特定の実施形態を参照しながら、本発明について詳解してきた。しかしながら、本発明の要旨を逸脱しない範囲で当業者が該実施形態の修正や代用を成し得ることは自明である。
【０２６３】
本明細書では、情報処理装置内において外部バスを介して接続される情報処理コントローラと情報処理ユニットの間でサブプロセッサの貸し出しを行なう場合を例にとって本発明の実施形態について説明してきたが、本発明の要旨はこれに限定されるものではない。例えば、３つの情報処理コントローラ又は情報処理ユニット間で余剰のサブプロセッサの利用を行なう場合や、外部バス以外に例えばネットワーク経由で接続される複数の情報処理装置の間で余剰のサブプロセッサの利用を行なう場合であっても、同様に本発明を適用することができる。
【０２６４】
要するに、例示という形態で本発明を開示してきたのであり、本明細書の記載内容を限定的に解釈するべきではない。本発明の要旨を判断するためには、冒頭に記載した特許請求の範囲の欄を参酌すべきである。
【図面の簡単な説明】
【０２６５】
【図１】図１は、本発明の一実施形態に係るネットワーク・システムの構成を示した図である。
【図２】図２は、サブプロセッサ２３からメインメモリ２４へのアクセス手順を説明するための図である。
【図３】図３は、ソフトウェアセルの構成例を示した図である。
【図４】図４は、ＤＭＡコマンドがステータス返信コマンドである場合のソフトウェアセルのデータ領域を示した図である。
【図５】図５は、複数の情報処理装置が仮想的な１台の情報処理装置として動作する様子を示した図である。
【図６】図６は、情報処理コントローラのソフトウェア構成の一例を示した図である。
【図７】図７は、４台の情報処理装置が仮想的な１台の情報処理装置として動作する様子を示した図である。
【図８】図８は、図７に示したシステムにおける分散処理の例を示した図である。
【図９】図９は、各情報処理装置及びシステムの具体例を示した図である。
【図１０】図１０は、図９中のハード・ディスク・レコーダのハードウェア構成を示した図である。
【図１１】図１１は、図９中のハード・ディスク・レコーダのソフトウェア構成を示した図である。
【図１２】図１２は、図９中のＰＤＡのハードウェア構成を示した図である。
【図１３】図１３は、図９中のＰＤＡのソフトウェア構成を示した図である。
【図１４】図１４は、図９中のポータブルＣＤプレーヤのハードウェア構成を示した図である。
【図１５】図１５は、図９中のポータブルＣＤプレーヤのソフトウェア構成を示した図である。
【図１６】図１６は、本発明の第２の実施形態に係る情報処理装置１０１の構成を示した図である。
【図１７】図１７は、情報処理装置１０１の一部のサブプロセッサ１２３−３が情報処理ユニット１７０に貸し出された様子を示した図である。
【図１８】図１８は、情報処理ユニット１７０のアドレス空間上にマッピングされた様子を示した図である。
【図１９】図１９は、情報処理ユニット１７０が、アクセスが許可されたローカルストレージへアクセスする様子を示した図である。
【図２０】図２０は、情報処理ユニット１７０が、貸し出されたサブプロセッサによるサブプロセッサプログラムの実行を行なう様子を示した図である。
【図２１】図２１は、サブプロセッサから発生した割り込みを、このサブプロセッサを利用する情報処理ユニット１７０に転送する様子を示した図である。
【図２２】図２２は、サブプロセッサの貸し出しを要求する情報処理ユニット１７０の処理動作を示したフローチャートである。
【図２３】図２３は、ローカルストレージが貸し出される前の情報処理ユニット１７０内のアドレス空間の様子を示した図である。
【図２４】図２４は、ローカルストレージが貸し出される後の情報処理ユニット１７０内のアドレス空間の様子を示した図である。
【図２５】図２５は、サブプロセッサの貸し出しを要求された情報処理コントローラ１１１における処理動作を示したフローチャートである。
【図２６】図２６は、情報処理コントローラ１１１の物理アドレス空間を示した図である。
【図２７】図２７は、サブプロセッサ貸し出し前の情報処理コントローラ１１１の仮想アドレス空間を示した図である。
【図２８】図２８は、サブプロセッサ貸し出し後の情報処理コントローラ１１１の仮想アドレス空間を示した図である。
【図２９】図２９は、情報処理ユニット１７０が情報処理コントローラ１１１のサブプロセッサ１２３−３にプログラムを実行させるための動作シーケンスを示した図である。
【符号の説明】
【０２６６】
１０，１１，１２…情報処理装置
２０…仮想情報処理装置
３０…ローカルネットワーク
４０…通信ネットワーク
５０…サーバ
６０…機能情報データベース
６１…ソフトウェアデータベース
７１…情報処理装置機能データベース
７２…機能データベース
７３…連携機能データベース
１０１…情報処理装置
１１１…情報処理コントローラ
１２１−１…メインプロセッサ
１２２−１…メインプロセッサ内ＬＳ
１２３−１〜３…サブプロセッサ
１２４−１〜３…サブプロセッサ内ＬＳ
１２５−１…ＤＭＡＣ
１２６−１…メインメモリ
１２７−１…ＤＣ
１２８−１〜２…外部記録部
１６６…外部バスＩＦ
１６７…外部バス
１６８…バスブリッジ
１６９…保護機構
１７０…情報処理ユニット
１７１…プロセッサ
１７２…メインメモリ
１７３…ＤＭＡＣ
１７４…外部バスＩＦ
【図１】
2005339401.tif 000007
【図２】
2005339401.tif 000008
【図３】
2005339401.tif 000009
【図４】
2005339401.tif 000010
【図５】
2005339401.tif 000011
【図６】
2005339401.tif 000012
【図７】
2005339401.tif 000013
【図８】
2005339401.tif 000014
【図９】
2005339401.tif 000015
【図１０】
2005339401.tif 000016
【図１１】
2005339401.tif 000017
【図１２】
2005339401.tif 000018
【図１３】
2005339401.tif 000019
【図１４】
2005339401.tif 000020
【図１５】
2005339401.tif 000021
【図１６】
2005339401.tif 000022
【図１７】
2005339401.tif 000023
【図１８】
2005339401.tif 000024
【図１９】
2005339401.tif 000025
【図２０】
2005339401.tif 000026
【図２１】
2005339401.tif 000027
【図２２】
2005339401.tif 000028
【図２３】
2005339401.tif 000029
【図２４】
2005339401.tif 000030
【図２５】
2005339401.tif 000031
【図２６】
2005339401.tif 000032
【図２７】
2005339401.tif 000033
【図２８】
2005339401.tif 000034
【図２９】
2005339401.tif 000035